(57)【要約】  従来、電動工具向けのリチウムイオンバッテリを電源として取り付けることができる電気器具として、コーヒーメーカ、電気ケトル、電気コンロ等の発熱利用型の電気器具やフォトフレームやオーディオ機器といった限られた範囲に限定されていた。本発明では、より広範囲な電気器具について電動工具向けのバッテリパックを電源として取り付けることができるようにしてそのコードレス化を図り、ひいてはその利便性を高めることを目的とする。温冷庫（１０）は、保温対象物（１５）を収容する保温部（１１）を、熱源（１２）としてのペルチェ素子の加熱機能により保温する構成とする。ペルチェ素子の電源として、スライド取り付け形式のバッテリパック（１）を用いる。バッテリパック（１）は、取り外して充電可能であるとともに、ねじ締め機等の電動工具の電源としても流用することができる。温冷庫（１０）の他、アイロンや炊飯器に適用することができる。
2018074355.tif 000002
【特許請求の範囲】
【請求項１】
保温対象物を加熱若しくは冷却する電気器具であって、前記保温対象物に直接、間接に接触させる保温部と、該保温部を少なくとも加熱、または冷却のどちらか一方を行う熱源と、該熱源に電力を供給する電源としてのバッテリを取り付けるためのバッテリ取り付け部を備えた電気器具。
【請求項２】
請求項１記載の電気器具であって、前記熱源としてペルチェ素子を用いた電気器具。
【請求項３】
請求項１記載の電気器具であって、前記保温部は加熱する熱源であり、前記熱源として電熱線を用いた電気器具。
【請求項４】
請求項１〜３の何れか１項に記載した電気器具であって、前記バッテリ取り付け部に、着脱可能に取り付けられる充電可能な電動工具用のバッテリパックを備えた電気器具。
【請求項５】
請求項４記載の電気器具であって、前記バッテリとして、複数本のセルをバッテリケースに収容したリチウムイオンバッテリを取り付け可能な電気器具。
【請求項６】
請求項４又は５記載の電気器具であって、前記バッテリ取り付け部に、ボックス型のバッテリをスライドさせて取り付け可能な電気器具。
【請求項７】
請求項６記載の電気器具であって、前記バッテリ取り付け部に、前記バッテリをスライドさせて係合するための一対の案内レール部を備えた電気器具。
【請求項８】
請求項４又は５記載の電気器具であって、前記バッテリ取り付け部に、長尺棒形のバッテリを差し込んで取り付け可能な電気器具。
【請求項９】
請求項８記載の電気器具であって、前記バッテリを差し込むための取り付け凹部を備え、該取り付け凹部の底部に前記バッテリを電源回路に電気的に接続するための電源端子を備えた電気器具。
【請求項１０】
請求項１〜９記載の電気器具であって、使用時に使用者が把持するグリップ部を備え、該グリップ部の一端側に前記保温部を備え、他端側に前記バッテリ取り付け部を備えた電気器具。
【請求項１１】
請求項１〜９記載の電気器具であって、前記熱源に電気コードを介して前記バッテリ取り付け部を接続した電気器具。
【請求項１２】
請求項１〜９記載の電気器具であって、設置して使用するための台座部を備え、該台座部に前記バッテリ取り付け部を備えた電気器具。
【請求項１３】
請求項１２記載の電気器具であって、前記バッテリ取り付け部に取り付けたバッテリを設置用の台座として機能させる電気器具。
【請求項１４】
請求項１〜１３の何れか１項に記載した電気器具であって、保温対象物としての飲食料品を加熱若しくは冷却するための電気器具。
【請求項１５】
請求項１〜１３の何れか１項に記載した電気器具であって、保温対象物としての人体若しくはその一部を加熱若しくは冷却するための電気器具。
【請求項１６】
請求項１〜１５の何れか１項に記載した電気器具であって、前記バッテリとして出力電圧が１０．８Ｖのリチウムイオンバッテリを取り付け可能な電気器具。
【請求項１７】
請求項１〜１６の何れか１項に記載した電気器具であって、前記熱源に対する電力供給を制御するためのコントローラを備え、前記バッテリ取り付け部に、前記コントローラと前記バッテリとの間で情報を送受信するための通信端子を少なくとも一つ備えた電気器具。
【請求項１８】
請求項１７記載の電気器具であって、前記バッテリの状態に関する情報に基づいて電力供給を制御する構成とした電気器具。
【請求項１９】
請求項１８記載の電気器具であって、前記バッテリの温度情報に基づいて電力供給を制御する構成とした電気器具。
【請求項２０】
請求項１８記載の電気器具であって、前記バッテリの放電許可または禁止情報に基づいて電力供給を制御する構成とした電気器具。
【請求項２１】
請求項１８記載の電気器具であって、電気器具の状態に関する情報に基づいて電力供給を制御する構成とした電気器具。
【請求項２２】
請求項１〜２１の何れか１項に記載した電気器具のバッテリ取り付け部に取り付け可能なバッテリであって、残容量表示部を備えたバッテリ。
【請求項２３】
請求項１〜２２の何れか１項に記載した電気器具であって、バッテリまたは電気器具の状態を報知する報知部を備える電気器具。
【請求項２４】
請求項２３記載の電気器具であって、前記報知部は電気器具側に設けられた電気器具。
【請求項２５】
家庭用電気器具において、電力を供給する電源としてのバッテリを着脱可能に取り付けるためのバッテリ取り付け部を備えた電気器具。
【請求項２６】
請求項１〜２４の何れか１項に記載した電気器具であって、前記熱源を有する折り畳み可能な板部を備えた電気器具。
【請求項２７】
請求項１〜２６の何れか１項に記載した電気器具であって、請求項１〜２６記載の他の電気器具を電気的に連結する連結部材を有する電気器具。
【請求項２８】
請求項１〜２７の何れか１項に記載した電気器具であって、前記バッテリと前記バッテリ取り付け部の何れかを収容可能な収容凹部を備えた電気器具。
【発明の詳細な説明】
【技術分野】
【０００１】
この発明は、例えばアイロンや炊飯器等の発熱を利用する電気器具に関する。
【背景技術】
【０００２】
主として発熱を利用する電気器具には、他に調理用のホットプレート、カップウォーマ、温冷庫、電気毛布、電気座布団等の電気器具が存在する。多くの場合、これらの電気器具は、商用１００Ｖの交流電源を電源としている。乾電池等のバッテリ（直流電源）では電力不足となるため、懐中電灯やハンディラジオ等の電力消費が小さい電気器具とは異なって、比較的大きな電力を必要とするアイロン等の発熱利用型の電気器具については、商用１００Ｖの交流電源を電源とするものが主流となっている。【０００３】
実開昭６３−１２６０００号公報あるいは特開平０６−１０５７３９号公報には、交流電源式のアイロン、炊飯器に関する技術が開示されている。これら交流電源式の電気器具は、使用時には電源コードを交流電源供給用の電源コンセントに接続する必要がある。このため、電源コンセント等が用意されていない屋外等では使用することができず、この点で使い勝手が悪い。【０００４】
一方、ねじ締め機や電気ドリル等の主として手持ち式の電動工具では、バッテリを電源とするものが普及している。特に近年では、複数本のバッテリセルをケースに内装したリチウムイオンバッテリが広く用いられるようになっている。【０００５】
電動工具用のリチウムイオンバッテリは比較的大きな電力を供給可能であることから、これを各種の電気器具の電源として利用できれば、交流電源が不要になり、またコードレス化されることからその使い勝手を格段に向上させることができる。
【発明の概要】
【発明が解決しようとする課題】
【０００６】
本発明は、主としてアイロンや炊飯器等のより広範な発熱利用型の電気器具について、バッテリを電源とすることにより、屋外等の交流電源が用意されていない場所でも利用できるようにすることで、その使い勝手を高めることを目的とする。
【課題を解決するための手段】
【０００７】
上記の課題は、以下の各発明により解決される。第１の発明は、保温対象物を加熱若しくは冷却する電気器具である。第１の発明では、保温対象物に直接、間接に接触させる保温部と、保温部を少なくとも加熱、または冷却のどちらか一方を行う熱源と、熱源に電力を供給する電源としてのバッテリを取り付けるためのバッテリ取り付け部を備えた構成となっている。【０００８】
第１の発明によれば、バッテリ取り付け部にバッテリを取り付けて、熱源に電力供給することにより保温部が加熱、または冷却される。保温部が加熱、または冷却されることにより、保温対象物が加熱、または冷却される。バッテリを電源とする熱源の発熱を利用して保温対象物を加熱、または冷却する発熱利用型の電気器具としては、例えばアイロン、炊飯器、調理用のホットプレート、カップウォーマ、温冷庫、電気毛布、電気座布団等が対象となる。【０００９】
第２の発明は、第１の発明において、熱源としてペルチェ素子を用いた電気器具である。【００１０】
第２の発明によれば、電気器具のコンパクト化及び低コスト化を図ることができる。ペルチェ素子は、２種類の金属板の接合部に電流を流すと、一方の金属板から他方の金属板に熱が移動するというペルチェ効果を利用した熱伝素子であり、一方の片面では冷却機能が発揮され、他方の片面では発熱する性質を有している。ペルチェ素子そのものは、多くの場合矩形平板形状を有するもので、種々サイズのものが一般に市販されており、低コストで入手することができる。【００１１】
第３の発明は、第１の発明において、前記保温部は加熱する熱源であり、熱源として電熱線を用いた電気器具である。【００１２】
第３の発明によれば、保温部を短時間に確実に加熱することができ、当該電気器具の効率を高めることができる。【００１３】
第４の発明は、第１〜第３の何れか一つの発明において、バッテリ取り付け部に、着脱可能に取り付けられる充電可能な電動工具用のバッテリパックを備えた電気器具である。【００１４】
第４の発明によれば、広く流通する電動工具用のバッテリパックを電源として備えることで、当該電気器具及び電動工具の使い勝手及び付加価値を高めることができる。また、充電により繰り返し利用できるバッテリパックを用いる点で、ランニングコストの低減を図ることができるとともに、環境に対する負荷を低減できる。【００１５】
第５の発明は、第４の発明において、バッテリとして、複数本のセルをバッテリケースに収容したリチウムイオンバッテリを取り付け可能な電気器具である。【００１６】
第５の発明によれば、熱源に対して十分な電力を供給することができる。リチウムイオンバッテリを電源とすることにより、継ぎ足し充電等が可能となり、この点でも当該電気器具の使い勝手を高めることができる。【００１７】
第６の発明は、第４又は第５の発明において、バッテリ取り付け部に、ボックス型のバッテリをスライドさせて取り付け可能な電気器具である。【００１８】
第６の発明によれば、矩形箱型のバッテリをバッテリ取り付け部にスライドさせて取り付けることにより、電源として利用することができる。【００１９】
第７の発明は、第６の発明において、バッテリ取り付け部に、バッテリをスライドさせて係合するための一対の案内レール部を備えた電気器具である。【００２０】
第７の発明によれば、バッテリの取り付け、取り外しの便宜を図りつつ、当該バッテリの強固な取り付け状態を実現できる。【００２１】
第８の発明は、第４又は第５の発明において、バッテリ取り付け部に、長尺棒形のバッテリを差し込んで取り付け可能な電気器具である。【００２２】
第８の発明によれば、スティック形のバッテリをバッテリ取り付け部に差し込んで取り付けることにより、電源として利用することができる。【００２３】
第９の発明は、第８の発明において、バッテリを差し込むための取り付け凹部を備え、取り付け凹部の底部にバッテリを電源回路に電気的に接続するための電源端子を備えた電気器具である。【００２４】
第９の発明によれば、バッテリを取り付け凹部の底部まで差し込んで取り付けることができる。電源端子を取り付け凹部の底部に配置することにより、差し込み操作に伴って当該バッテリが電源回路に確実に接続されるようにするとともに、その保護を図って当該電気器具の耐久性を高めることができる。【００２５】
第１０の発明は、第１〜第９の何れか一つの発明において、使用時に使用者が把持するグリップ部を備え、グリップ部の一端側に保温部を備え、他端側にバッテリ取り付け部を備えた電気器具である。【００２６】
第１０の発明によれば、バッテリを保温部とは反対側に取り付けることにより、当該電気器具の操作性及び取り扱い性を高めることができる。【００２７】
第１１の発明は、第１〜第９の何れか一つの発明において、熱源に電源コードを介してバッテリ取り付け部を接続した電気器具である。【００２８】
第１１の発明によれば、電気器具が軽量化されることから、その操作性及び取り扱い性を高めることができる。【００２９】
第１２の発明は、第１〜第９の何れか一つの発明において、設置して使用するための台座部を備え、台座部にバッテリ取り付け部を備えた電気器具である。【００３０】
第１２の発明によれば、バッテリ取り付け部に比較的重量の大きなバッテリを取り付けることにより、電気器具を倒れにくい安定した姿勢で設置しておくことができる。【００３１】
第１３の発明は、第１２の発明において、バッテリ取り付け部に取り付けたバッテリを設置用の台座として機能させる電気器具である。【００３２】
第１３の発明によれば、比較的重量の大きなバッテリをバッテリ取り付け部に取り付けることにより電気器具の重心を低くすることができ、これにより当該電気器具を倒れにくい安定した姿勢で設置しておくことができる。【００３３】
第１４の発明は、第１〜第１３の何れか一つの発明において、保温対象物としての飲食料品を加熱若しくは冷却するための電気器具である。【００３４】
第１４の発明によれば、当該電気器具を調理用器具として用いる場合に、前記した各作用効果を得ることができる。【００３５】
第１５の発明は、第１〜第１３の何れか一つの発明において、保温対象物としての人体若しくはその一部を加熱若しくは冷却するための電気器具である。【００３６】
第１５の発明によれば、当該電気器具を健康器具として用いる場合に、前記した各作用効果を得ることができる。【００３７】
第１６の発明は、第１〜第１５の何れか一つの発明において、バッテリとして出力電圧が１０．８Ｖのリチウムイオンバッテリを取り付け可能な電気器具である。【００３８】
第１６の発明によれば、例えばねじ締め機等の充電式電動工具の電源として用いられる出力電圧１０．８Ｖのリチウムイオンバッテリを各種の電気器具の電源として利用することにより、当該バッテリを有効活用してその汎用性を高めることができるとともに、各種電気器具の使い勝手を高めることができる。【００３９】
第１７の発明は、第１〜第１６の発明において、熱源に対する電力供給を制御するためのコントローラを備え、前記バッテリ取り付け部に、前記コントローラと前記バッテリとの間で情報を送受信するための通信端子を少なくとも一つ備えた電気器具である。【００４０】
第１７の発明によれば、通信端子を経てコントローラとバッテリとの間で情報が送受信されて当該電気器具の動作が制御される。【００４１】
第１８の発明は、第１７の発明において、バッテリの状態に関する情報に基づいて電力供給を制御する構成とした電気器具である。【００４２】
第１８の発明によれば、コントローラに送信される主としてバッテリの状態に基づいて熱源に対する電力供給が制御されることにより、当該電気器具及びバッテリの保護が図られる。【００４３】
第１９の発明は、第１８の発明において、バッテリの温度情報に基づいて電力供給を制御する構成とした電気器具である。【００４４】
第１９の発明によれば、バッテリの温度情報に基づいて電気器具の動作が制御されることにより、当該バッテリの保護が図られる。【００４５】
第２０の発明は、第１８の発明において、バッテリの放電許可または禁止情報に基づいて電力供給を制御する構成とした電気器具である。【００４６】
第２０の発明によれば、例えば残容量不足によりバッテリからコントローラへ放電禁止信号が送信されて、熱源への電力供給が停止されることにより、当該バッテリの保護が図られる。【００４７】
第２１の発明は、第１８の発明において、電気器具の状態に関する情報に基づいて電力供給を制御する構成とした電気器具である。【００４８】
第２１の発明によれば、電気器具の状態に基づいて電力供給が制御される。【００４９】
第２２の発明は、第１〜第２１の発明に係る電気器具のバッテリ取り付け部に取り付け可能なバッテリであって、残容量表示部を備えたバッテリである。【００５０】
第２２の発明によれば、バッテリ自身にその残容量を表示する残容量表示部を備えていることから、電気器具のバッテリ取り付け部から取り外した状態で、当該バッテリの残容量を確認することができる。【００５１】
第２３の発明は、第１〜第２２の発明において、バッテリまたは電気器具の状態を報知する報知部を備える電気器具である。【００５２】
第２３の発明によれば、報知部によりバッテリまたは電気器具の状態が報知される。【００５３】
第２４の発明は、第２３の発明において、報知部は電気器具側に設けられた電気器具である。【００５４】
第２４の発明によれば、電気器具側に設けられた報知部により、バッテリまたは電気器具の状態が報知される。【００５５】
第２５の発明は、家庭用電気器具において、電力を供給する電源としてのバッテリを着脱可能に取り付けるためのバッテリ取り付け部を備えた電気器具である。【００５６】
第２５の発明によれば、バッテリ取り付け部に電力供給用のバッテリを取り付けて家庭用電気器具を利用することができる。【００５７】
第２６の発明は、熱源を有する折り畳み可能な板部を備えた電気器具である。したがって、熱源を備えた電気器具をコンパクトにできる。これにより、電気器具を持ち運びや収納をする際の利便性を高めることができる。【００５８】
第２７の発明は、他の電気器具を連結する連結部材を有する電気器具である。したがって、熱源を備えた複数の電気器具を一まとまりの熱源として利用することができる。この時、例えば複数の電気器具を一つの電源によって稼働させることができる。これにより、電源の数が減った分の軽量化やコンパクト化を図ることができる。【００５９】
第２８の発明は、バッテリとバッテリ取り付け部の何れかを収容可能な収容凹部を備えた電気器具である。したがって、バッテリやバッテリ取り付け部を電気器具とともに持ち運びや収納をすることができる。
【図面の簡単な説明】
【００６０】
【図１】第１実施形態に係る電気器具であって、温冷庫の全体斜視図である。
【図２】スライド取り付け形式のバッテリパックのバッテリ取り付け部に対する取り付け、取り外し状態を示す側面図である。
【図３】スライド取り付け形式のバッテリパック単体の斜視図である。
【図４】スライド取り付け形式のバッテリパック単体の正面図である。
【図５】スライド取り付け形式のバッテリパック単体の下面図である。
【図６】充電式ねじ締め機の全体斜視図である。
【図７】差し込み取り付け形式のバッテリパックを取り付け可能とした温冷庫の全体斜視図である。
【図８】差し込み取り付け形式のバッテリパック単体の斜視図である。
【図９】第２実施形態に係る電気器具であって、アイロンの全体斜視図である。
【図１０】第３実施形態に係る電気器具であって、炊飯器の全体斜視図である。
【図１１】第４実施形態に係る電気器具であって、ホットプレートの全体斜視図である。本図では、スライド取り付け形式のバッテリパックを電源とするホットプレートが示されている。
【図１２】第４実施形態に係る電気器具であって、ホットプレートの全体斜視図である。本図では、差し込み取り付け形式のバッテリパックを電源とするホットプレートが示されている。
【図１３】第５実施形態に係る電気器具であって、カップウォーマーの全体斜視図である。本図では、基台部に一体形のバッテリ取り付け部を備えるカップウォーマーが示されている。
【図１４】第５実施形態に係る電気器具であって、カップウォーマーの全体斜視図である。本図では、基台部から分離されたバッテリ取り付け部を備えるカップウォーマーが示されている。
【図１５】第６実施形態に係る電気器具であって、電気毛布の斜視図である。
【図１６】第７実施形態に係る電気器具であって、電気座布団の斜視図である。
【図１７】第８実施形態に係る電気器具であって、電気スリッパの斜視図である。
【図１８】第９実施形態に係る電気器具であって、電気手袋の斜視図である。
【図１９】第１０実施形態に係る電気器具であって、電気ポーチの斜視図である。本図では、分離式かつスライド取り付け形式のバッテリ取り付け部を備える電気ポーチが示されている。
【図２０】第１０実施形態に係る電気器具であって、電気ポーチの斜視図である。本図では、一体形かつ差し込み取り付け形式のバッテリ取り付け部を備える電気ポーチが示されている。
【図２１】第１１実施形態に係る電気器具であって、ボトルウォーマーの斜視図である。
【図２２】第１２実施形態に係る電気器具であって、電気ポットの斜視図である。
【図２３】第１３実施形態に係る電気器具であって、電気ドリンクホルダの斜視図である。本図では、一体形のバッテリ取り付け部を備える電気ドリンクホルダが示されている。
【図２４】第１３実施形態に係る電気器具であって、電気ドリンクホルダの斜視図である。本図では、分離形のバッテリ取り付け部を備える電気ドリンクホルダが示されている。
【図２５】第１４実施形態に係る電気器具であって、保温鍋敷きの斜視図である。
【図２６】第１５実施形態に係る電気器具であって、クッキングヒータの斜視図である。
【図２７】第１６実施形態に係る電気器具であって、クーラーボックスの斜視図である。
【図２８】第１７実施形態に係る電気器具であって、電気トースターの斜視図である。
【図２９】第１８実施形態に係る電気器具であって、電気ポットの斜視図である。
【図３０】第１９実施形態に係る電気器具であって、ホットサンドメーカーの斜視図である。
【図３１】第２０実施形態に係る電気器具であって、除湿器の斜視図である。
【図３２】第２１実施形態に係る電気器具であって、電気マグカップの斜視図である。
【図３３】外部接続式の電源アダプタの斜視図である。本図は、スティック形（差し込み式）バッテリを電源とするタイプを示している。
【図３４】外部接続式の電源アダプタの斜視図である。本図は、ボックス形（スライド取り付け式）のバッテリパックを電源とするタイプを示している。
【図３５】照明具の全体側面図である。
【図３６】照明具の全体側面図である。
【図３７】第２２実施形態に係る電気器具であって、暖房具の斜視図である。
【図３８】第２３実施形態に係る電気器具であって、暖房具の斜視図である。本図は、電気器具を折り畳んだ状態を示している。
【図３９】第２３実施形態に係る電気器具であって、暖房具の斜視図である。本図は、電気器具を展開した状態を示している。
【図４０】第２３実施形態に係る電気器具であって、暖房具の斜視図である。本図は、電源部を取り出した状態を示している。
【図４１】第２３実施形態に係る電気器具であって、暖房具の斜視図である。本図は、電源部を取り出して折り畳んだ状態を示している。
【図４２】第２３実施形態に係る電気器具であって、暖房具の斜視図である。本図は、電気器具を人が暖房座布団として利用している状態を示している。
【図４３】第２３実施形態に係る電気器具であって、暖房具の斜視図である。本図は、第２３実施形態に係る電気器具を２つ並べた状態を示している。
【図４４】第２４実施形態に係る電気器具であって、暖房具の斜視図である。本図は、箱型に折り畳んだ状態を示している。
【図４５】第２４実施形態に係る電気器具であって、暖房具の斜視図である。本図は、展開した状態を示している。
【図４６】第２５実施形態に係る電気器具であって、暖房ブランケットの斜視図である。本図は、電気器具を肩掛けポンチョとして利用する状態を示している。
【図４７】第２５実施形態に係る電気器具であって、暖房ブランケットの斜視図である。本図は、電気器具を座布団として利用する状態を示している。
【図４８】第２５実施形態に係る電気器具であって、暖房ブランケットの斜視図である。本図は、電気器具をひざ掛けブランケットとして利用する状態を示している。
【図４９】第２６実施形態に係る電気器具の斜視図である。
【図５０】第２６実施形態に係る電気器具の斜視図である。本図は、電気器具をハンドウォーマとして利用する状態を示している。
【図５１】第２６実施形態に係る電気器具の斜視図である。本図は、電気器具を首に掛けてショールとして利用する状態を示している。
【図５２】第２７実施形態に係る電気器具の斜視図である。
【図５３】第２７実施形態に係る電気器具の斜視図である。本図は、電気器具を首に巻いてネックウォーマとして利用する状態を示している。
【図５４】第２７実施形態に係る電気器具の斜視図である。本図は、電気器具を両目に当ててアイウォーマとして利用する状態を示している。
【図５５】電気器具とバッテリパックの制御ブロック図である。
【図５６】電気器具の制御フローチャートである。
【図５７】別形態の電気器具とバッテリパックの制御ブロック図である。
【図５８】別形態の電気器具の制御フローチャートである。
【図５９】別形態のバッテリパックの制御フローチャートを示している。
【図６０】充電器とバッテリパックの制御ブロック図である。
【発明を実施するための形態】
【００６１】
次に、本発明の実施形態を図１〜図６０に基づいて説明する。図１には第１実施形態の電気器具１０として温冷庫が示されている。この電気器具１０は、缶入り飲料やおしぼり等の保温対象物１５を温めたり冷やしたりするために用いられる比較的小型の電気器具である。
【００６２】
電気器具１０は、矩形箱体を有する保温部１１と、熱源１２と、バッテリ取り付け部１３を備えている。保温部１１は、保温対象物１５を収容する前側開口の本体部１０ａと、本体部１０ａの前側開口を開閉する蓋１０ｂを備えている。図示するように保温部１１は仕切り板により上下二段に仕切られている。蓋１０ｂは、本体部１０ａの右側部を中心にして左右に回動可能に支持されている。本体部１０ａの内部は上下に二段に区画されている。上段及び下段にそれぞれ多数の保温対象物１５を収容することができる。
【００６３】
本体部１０ａの左側部には、熱源１２が組み込まれている。第１実施形態では、熱源１２としてペルチェ素子が用いられている。第１実施形態の電気器具１０は、ペルチェ素子の冷却及び加熱機能を熱源１２として利用する構成となっている。ペルチェ素子は、矩形平板形状を有する熱伝素子で、電圧を印加すると片面（冷却面）が冷却され、他の片面（発熱面）が発熱する性質を有している。ペルチェ素子自体については、公知のものを用いることができる。図では省略されているが、ペルチェ素子の保温側又は冷却側には、必要に応じてアルミニウム製のヒートシンク、あるいは循環ファンが取り付けられて、その加熱効率又は冷却効率が高められている。ペルチェ素子を主体とする熱源１２により、保温部１１（温冷庫の壁面、天井面、底面、上下の仕切り板）が加熱される。仕切り板は省略してもよい。
【００６４】
熱源１２としてのペルチェ素子に、バッテリ取り付け部１３に取り付けたバッテリパック１から電源が供給される。バッテリ取り付け部１３は、本体部１０ａの左側部に設けられている。図２に示すようにバッテリ取り付け部１３に対してバッテリパック１を下方へスライドさせて取り付けることができ、逆に上方へスライドさせて取り外すことができる。バッテリパック１は、バッテリ取り付け部１３に取り付けると、本体部１０ａに内装した電源回路に電気的に接続される。このバッテリパック１は、電動ねじ締め機や電動ドリル等の充電式電動工具のバッテリとしても用いられる汎用性の高いスライド取り付け形式のバッテリで、様々な充電式電動工具との間で共用する（使い回す）ことができる。
【００６５】
図３〜図５には、バッテリ取り付け部１３から取り外した状態のバッテリパック１が単体で示されている。バッテリパック１は、６面を有するほぼ直方体形状（ボックス形）のバッテリケース内に複数本のセルを内装したもので、本実施形態では出力電圧１０．８Ｖのリチウムイオンバッテリが用いられている。このボックス形のバッテリパック１は、バッテリ取り付け部１３から取り外して、別途用意した充電器で充電することにより繰り返し使用することができる。複数個のバッテリパック１を予め用意しておくことにより、１つを充電中であっても別のバッテリパック１をバッテリ取り付け部１３に取り付けることにより、作業等の中断を招くことなく電気器具１０の連続使用が可能となる。なお、以下説明する各実施形態では、出力電圧が１０．８Ｖのリチウムイオンバッテリを電源とする構成を例示するが、出力電圧が１８Ｖ、１４．４Ｖ等のリチウムイオンバッテリを用いる構成、あるいはリチウムイオンバッテリに限らず、ニッケル水素バッテリ、ニッカドバッテリを電源として用いる構成とすることもできる。
【００６６】
図３に示すようにバッテリパック１の正面には、左右一対のレール受け部１ａが設けられている。左右レール受け部１ａの内側に正負の電源端子受け部１ｂ，１ｃと、３つの通信端子受け部１ｄが設けられている。電源端子受け部１ｂ，１ｃの上側には、矩形に開口された冷却用の吸気口１ｇが設けられている。吸気口１ｇの上側には、１つのロック爪１ｅが設けられている。このロック爪１ｅは、バッテリケース内に装着したばねにより正面側へ突き出す方向に付勢されている。バッテリパック１の上面には、アンロックボタン１ｆが設けられている。このアンロックボタン１ｆは、ロック爪１ｅと一体に設けられている。このため、アンロックボタン１ｆを指先で背面側へ押し下げ操作すると、ロック爪１ｅをばね付勢力に抗して引き込む方向（アンロック側）に移動させることができる。バッテリパック１の正面下部には、矩形に開口された３つの排気口１ｈが設けられている。例えば充電時に吸気口１ｇを経てバッテリケース内に導入した外気が排気口１ｈから排気されることにより当該バッテリパック１の冷却がなされる。図５に示すようにバッテリパック１の下面には、電力の残容量をＬＥＤ表示するための残容量表示部１ｊが設けられている。残容量スイッチ１ｋを押し操作すると、残容量に応じた個数のＬＥＤが点灯する。
【００６７】
図２に示すようにバッテリ取り付け部１３は、左右一対のレール部１３ａを備えている。左右のレール部１３ａは相互に平行に上下方向に延びている。左右のレール部１３ａ間に，正負の電源端子１３ｂ，１３ｃと、一つの通信端子１３ｄが設けられている。図では見えていないがバッテリ取り付け部１３の上部に、バッテリパック１側のロック爪１ｅが嵌り込む係合凹部が設けられている。図２中白抜き矢印で示すようにバッテリ取り付け部１３に対してバッテリパック１を上方から下方へ向けてスライドさせることにより、当該バッテリ取り付け部１３に対してバッテリパック１が取り付けられる。逆にバッテリパック１の取り付け状態において、使用者が指先でアンロックボタン１ｆをアンロック側に押し下げ操作し、これによりロック爪１ｅを係合凹部から退出させた状態で、上方へスライドさせることにより当該バッテリパック１をバッテリ取り付け部１３から取り外すことができる。
【００６８】
取り外したバッテリパック１は、その正面側（図４において紙面手前側の面）をバッテリ取り付け部１３側に向けた向きで下方へ移動させて左右のレール受け部１ａにレール部１３ａを進入させることにより、バッテリ取り付け部１３に対して取り付けることができる。バッテリパック１を下方へスライドさせてロック爪１ｅが係合凹部内に弾性的に嵌り込むことにより、当該バッテリパック１がバッテリ取り付け部１３に対して取り付けられた状態にロックされる。バッテリパック１がバッテリ取り付け部１３に対して取り付けられると、正負の電源端子受け部１ｂ，１ｃに正負の電源端子１３ｂ，１３ｃが進入して当該バッテリパック１がバッテリ取り付け部１３に対して電気的に接続された状態となる。また、通信端子１３ｄが中央の通信端子受け部１ｄに進入して、電気器具１０とバッテリパック１との間で過放電に伴う自動停止等の制御信号の送受信が可能な状態となる。なお、バッテリパック１の３つの通信端子受け部１ｄのうち左右両側の通信端子受け部１ｄは、当該バッテリパック１を別途用意した充電器に取り付けて充電する場合に利用される。左右両側の通信端子受け部１ｄには、充電器側の通信端子が進入して電気的に接続される。左右両側の通信端子受け部１ｄに充電器側の通信端子が接続されることにより当該バッテリパック１と充電器との間で各種の制御信号が送受信される。
【００６９】
図６には、バッテリパック１を電源として取り付けた充電式の電動工具の一例が示されている。図６に示す電動工具５はインパクト式のねじ締め機で、本体部５ａとグリップ部５ｂと電源部５ｃを備えている。電源部５ｃがバッテリ取り付け部に相当する部位で、バッテリパック１はこの電源部５ｃの下面に沿って取り付けられる。電源部５ｃに対して前側（白抜き矢印取り外し方向）にスライドさせることにより、バッテリパック１を取り外すことができる。逆に、電源部５ｃに対して後ろ側（白抜き矢印取り付け方向）にスライドさせることによりバッテリパック１を取り付けることができる。この電動工具５は、電源部５ｃに取り付けたバッテリパック１からの電力により利用することができる。電源部５ｃから取り外したバッテリパック１をそのまま電気器具１０のバッテリ取り付け部１３に取り付けることにより、当該バッテリパック１を電気器具１０の電源として利用することができる。
【００７０】
図１に示すようにバッテリ取り付け部１３に一つのバッテリパック１を取り付けることにより、熱源１２に必要な電力が供給される。本体部１０ａの前面下部に、電源スイッチ１０ｃと、「温」切り替えスイッチ１０ｄ、「冷」切り替えスイッチ１０ｅが設けられている。電源スイッチ１０ｃをオンさせた状態で、「温」切り替えスイッチ１０ｄをオン操作すると熱源１２のペルチェ素子の温側に電力が供給される。このため、「温」切り替えスイッチ１０ｄをオン操作すると、熱源１２から保温部１１内に温風が吹き出されて、保温対象物１５が温められる。逆に、「冷」切り替えスイッチ１０ｅをオン操作するとペルチェ素子の冷側に電力が供給されて保温部１１内に冷風が吹き出される。これにより保温対象物１５が冷やされる。
【００７１】
上記のように保温部１１内に温風又は冷風を吹き出して保温又は保冷を行う構成とする他、保温部１１を区画する壁部、天板部、底部、仕切り板に熱源としてのペルチェ素子をそれぞれ配置して直接壁部等を加熱又は冷却することにより保温部１１の保温又は保冷を行う構成としてもよい。保温部１１内の温度は、温度センサにより管理される。コントローラ１４では、温度センサにより検知される保温部１１内の温度変化に基づいて、熱源１２としてのペルチェ素子に対してバッテリパック１の電力を供給、遮断する制御がなされる。これにより、保温部１１内が適正温度に維持される。コントローラ１４については、最後に詳述する。
【００７２】
以上のように構成した第１実施形態の電気器具１０（温冷庫）によれば、充電式電動工具に用いられるバッテリパックを電源として利用することができるので、商用１００Ｖの交流電源がない屋外等においても、缶入り飲料やおしぼりを温めたり、冷やしたりすることができ、この点で電気器具１０の利便性を高めることができる。
【００７３】
また、コードレスであるので、その持ち運び及び取り扱いが容易である。さらに、他の電動工具の電源として共用できるバッテリパック１を電源として利用できることから、主として電源についてはランニングコスト及びメンテナンスコストの低減を図ることができる。
【００７４】
以上、電源としてスライド取り付け形式（ボックス形）のバッテリパック１を例示したが、バッテリ取り付け部に差し込んで取り付けるスティック形式のバッテリパック２を電源として用いる構成としてもよい。図７に示す電気器具１０（温冷庫）は、電源として前記スライド取り付け式のバッテリパック１に代えて、差し込み取り付け形式のバッテリパック２を取り付けることができる。図８に、取り外した状態のバッテリパック２が単独で示されている。このバッテリパック２は、ねじ締め機等の電動工具の電源として用いられるスティック形のリチウムイオンバッテリで、断面三角形の本体部２ａと、この本体部２ａの後部にやや大径に形成された頭部２ｂを備えている。本体部２ａに３本のバッテリセルが内装されている。本体部２ａの前端面に、正負の端子孔２ｃ，２ｄが設けられている。
【００７５】
図７に示すように温冷庫１０の本体部１０ａの上面には、バッテリパック２を差し込んで取り付けるためのバッテリ取り付け部１６が設けられている。バッテリ取り付け部１６は、バッテリパック２の本体部２ａを収容可能な断面形状及び深さの孔形状を有している。バッテリ取り付け部１６の底部には、正負の電源端子（図では見えていない）が設けられている。バッテリパック２の本体部２ａを、バッテリ取り付け部１６に差し込めば、端子孔２ｃ，２ｄに対応する正負の電源端子が挿入されて当該バッテリパック２が本体部１０ａの電源回路に電気的に接続される。電源回路に接続されたバッテリパック２の電力が熱源１２（ペルチェ素子）に供給されて本体部１０ａの保温部１１内に温風若しくは冷気が吹き込まれて、保温対象物１５が温められ、若しくは冷やされる。
【００７６】
図８に示すようにバッテリパック２の頭部２ｂの左右両側部には、係合爪２ｅとこれを離脱側に操作するための押しボタン２ｆが設けられている。この両係合爪２ｅに対応して、バッテリ取り付け部１６の口元内側には、左右一対の係合突部（図７では見えていない）が設けられている。この両係合突部に対して係合爪２ｅは、それぞれバッテリパック２の取り外し方向にのみ係合し、取り付け方向については両係合爪２ｅが弾性力に抗して退避する。このため、バッテリパック２をバッテリ取り付け部１６に差し込むと、左右の係合爪２ｅがそれぞれバッテリ取り付け部１６側の係合突部に係合して当該バッテリパック２が取り付け位置にロックされる。この取り付け状態において、左右の押しボタン２ｆを指先で両側から挟むようにして押し操作すると、係合突部に対する係合爪２ｅの係合状態が解除されるため、当該バッテリパック２をバッテリ取り付け部１６から上方へ抜き出すようにして取り外すことができる。
【００７７】
このように熱源１２に電力を供給するための電源として、スライド取り付け形式のバッテリパック１あるいは差し込み取り付け形式のバッテリパック２を用いることができる他、電源には内蔵式のバッテリパックを用いることもできる。この場合、バッテリパックの充電機能も合わせて内蔵することにより、例えば本体部１０ａの後面に、充電用電源の接続口を設けることができる。この接続口を経て充電用の電力を供給することにより内蔵バッテリを充電する構成とすることができる。
【００７８】
また、熱源１２としてペルチェ素子を用いる構成を例示したが、電熱線やシーズヒーター等他の熱源を用いる構成としてもよい。この場合、電気器具１０としての温冷庫は、冷却機能を省略して加熱若しくは保温専用としてもよい。
【００７９】
さらに、必要に応じてバッテリ取り付け部１３（１６）を複数設けて、それぞれに取り付けた複数個のバッテリパック１（２）の合計電力を供給可能として、よりハイパワーな温冷庫とすることができる。また、商用の１００Ｖ交流電源を電源として利用可能な構成（充交両用）としてもよい。
【００８０】
充電式電動工具の電源として用いることができるバッテリパック１（２）を電源として熱源により保温対象物を加熱、冷却する発熱利用型の電気器具としては、例示した温冷庫１０の他、例えばアイロン、炊飯器、調理用のホットプレート、カップウォーマ、電気毛布、電気座布団、電気ストーブ、電気コンロ等の各種の電気器具が対象となる。これら例示した電気器具は、加熱若しくは保温専用となり、冷却機能は有していない。
【００８１】
図９には、第２実施形態の電気器具２０として、コードレスアイロンが示されている。この電気器具２０は、アイロン本体２１と、置き台２２を備えている。アイロン本体２１と置き台２２の双方がコードレスになっている。アイロン本体２１の下部に沿って設けた保温部２３（かけ面）に沿ってシーズヒーター等の熱源２４が組み込まれている。アイロン本体２１を置き台２２上に設置すると、アイロン本体２１の熱源２４が、置き台２２に対して電気的に接続される。
【００８２】
置き台２２の後部には、第１実施形態と同じくスライド取り付け形式のバッテリパック１を取り付けるためのバッテリ取り付け部２５が設けられている。図示するように、バッテリ取り付け部２５に対してバッテリパック１を後方へスライドさせて取り外すことができ、前方へスライドさせて取り付けることができる。バッテリ取り付け部２５は、図２に示すバッテリ取り付け部１３と同様の構成を備えている。また、バッテリパック１は、図３〜５に示す第１実施形態と同じ構成を備えている。
【００８３】
第２実施形態の電気器具２０の場合、バッテリパック１の電力が置き台２２を経てアイロン本体２１の熱源２４に供給される。熱源２４に電力が供給されることにより、保温部２３が適正温度に加熱される。ねじ締め機等の電動工具の電源として利用されるバッテリパック１を電源として用いる構成であることから、交流電源が用意されていない建築現場等の屋外においても使用することができるとともに、既にこの種のバッテリパック１を所有するユーザーにとって、電気器具２０のランニングコスト及びメンテナンスコストの低減を図ることができる。
【００８４】
なお、第２実施形態の電気器具２０についても、第１実施形態と同じく、スライド取り付け形式のバッテリパック１に代えて、差し込み取り付け形式のバッテリパック２を取り付け可能とする構成としてもよい。また、商用１００Ｖの交流電源を利用可能な構成（充交両用）としてもよい。
【００８５】
図１０には、第３実施形態の電気器具３０として、コードレスタイプの炊飯器が示されている。この電気器具３０は、内釜３１を内装した本体部３２と、本体部３２を支持する基台部３３と、本体部３２の上部開口を開閉する蓋部３４を備えている。基台部３３の右側部に、スライド取り付け形式のバッテリ取り付け部３５が設けられている。このバッテリ取り付け部３５に電源としてのバッテリパック１を取り付けることができる。図中白抜き矢印で示すようにバッテリ取り付け部３５に対してバッテリパック１を左方にスライドさせて取り付けることができ、右方にスライドさせて取り外すことができる。取り付けたバッテリパック１の電力が熱源３６としてのシーズヒーターに供給されて保温部としての内釜３１が加熱される。内釜３１が加熱されて、その内側に収容した保温対象物（米）が加熱されて炊飯がなされる。バッテリパック１は、本体部３２の下方に進入させてとりつける構成とする他、本体部３２の側部あるいは蓋部３４の上面に露出状態で取り付ける構成としてもよい。
【００８６】
図１１には、第４実施形態の電気器具４０として、コードレスタイプのホットプレートが例示されている。この電気器具４０は、食材（保温対象物）を受ける保温部としてのプレート本体４１と、プレート本体４１を支持する基台部４２を備えている。なお、図では省略されているが、プレート本体４１は蓋で塞ぐことができる。基台部４２には、熱源４３としてのペルチェ素子と、電源としてのバッテリパック１を取り付けるためのバッテリ取り付け部４４が設けられている。
【００８７】
熱源４３としてのペルチェ素子には、加熱側に電力が供給される。バッテリ取り付け部４４は、第１実施形態に係るバッテリ取り付け部１３と同様の構成を備えている。バッテリパック１は、このバッテリ取り付け部４４に対して手前側へスライドさせて取り外すことができ、後方へスライドさせて取り付けることができる。バッテリパック１をバッテリ取り付け部４４に取り付けた状態で電源スイッチ４５をオン操作すると、バッテリパック１の電力が熱源４３に供給されて、保温部としてのプレート本体４１が加熱される。これによりプレート本体４１に入れた野菜等の食材が加熱、調理される。プレート本体４１の加熱温度は、温度調整ダイヤル４６を回転操作することにより調整することができる。
【００８８】
図１２には、スライド取り付け式のバッテリパック１に代えてスティック形のバッテリパック２を電源として取り付ける構成とした電気器具４０が示されている。バッテリパック２は、基台部４２の正面左側に設けたバッテリ取り付け部４７に差し込んで取り付けられる。バッテリパック２を複数本取り付ける構成としてもよい。熱源４３は、ペルチェ素子に代えてシーズヒータを用いる構成としてもよい。
【００８９】
図１３には、第５実施形態の電気器具５０として、コードレスタイプのカップウォーマーが例示されている。この電気器具５０は、カップに入れた飲料水等を保温する機能を有するもので、矩形平板形状の基台部５１を備えている。基台部５１の上面右側には、円形の加熱部５２が設けられている。加熱部５２の熱源には、ペルチェ素子が用いられている。図示するように加熱部５２に置いたカップ５３がペルチェ素子により加熱されて飲料水等が保温される。
【００９０】
基台部５１の上面左側には、電源としてのバッテリパック１を取り付けるためのバッテリ取り付け部５４が設けられている。バッテリパック１は第１実施形態と同様、スライド取り付け形式のリチウムイオンバッテリで、ねじ締め機等の電動工具のバッテリとして利用できるものを取り付けることができる。図中白抜き矢印で示すようにバッテリパック１は、バッテリ取り付け部５４に対して前方へスライドさせて取り外すことができ、後方へスライドさせて取り付けることができる。
【００９１】
基台部５１の前部には、電源スイッチ５５等のスイッチ類の他、バッテリパックの残容量あるいは加熱部５２の動作状態等を表示する表示部５６が設けられている。バッテリ取り付け部５４を複数配置して複数個のバッテリパック１を電源とすることにより、より長時間使用可能とすることができる。スライド取り付け形式のバッテリパック１に代えて、差し込み取り付け形式のバッテリパック２を電源とする構成としてもよい。
【００９２】
図１４には、バッテリ取り付け部５７を基台部５１から分離した構成の電気器具５０が示されている。バッテリ取り付け部５７は電源コード５８を介して基台部５１に電気的に接続されている。分離式のバッテリ取り付け部５７の上面にスライド取り付け形式のバッテリパック１が取り付けられている。このように、バッテリパック１は、基台部５１に対して一体に取り付ける構成とする他、基台部５１から分離して接続する構成とすることができる。
【００９３】
図１５には第６実施形態の電気器具６０として電気毛布が示されている。この電気毛布は、ねじ締め機等の充電式電動工具の電源として用いられるリチウムイオンバッテリを電源として利用することができる。この電気器具６０は、保温対象物（主として人体）を温める保温部としての毛布本体６１と、毛布本体６１に組み込まれた熱源６２としての電熱線と、電源としてのバッテリパック１を取り付けるためのバッテリ取り付け部６３を備えている。
【００９４】
第６実施形態におけるバッテリ取り付け部６３は、保温部から分離された分離式のバッテリ取り付け部で、電源コード６５を介して保温部としての毛布本体６１に電気的に接続されている。バッテリ取り付け部６３に対してスライド取り付け形式のバッテリパック１を取り付けることができる。バッテリ取り付け部６３は、電源コード６５を経てコントローラ６４に接続されている。コントローラ６４は、電源回路や制御回路を内装している。コントローラ６４には、電源スイッチ等のスイッチ類の他、バッテリパック１の残容量や加熱状態を報知する表示部が設けられている。
【００９５】
バッテリパック１を電源とする電気器具６０であることから、商用１００Ｖの交流電源がない場所でも利用することができる。また、ねじ締め機等の充電式電動工具の電源としても利用できるバッテリパック１を電源として用いる構成であるので、既にバッテリパック１を所有する使用者にとって、バッテリパック１を有効に活用することができる。
【００９６】
特に、第６実施形態の場合、バッテリ取り付け部６３が電源コード６５を経て毛布本体６１から分離されていることにより、毛布本体６１の軽量化が図られ、その使い勝手が高められている。分離式のバッテリ取り付け部６３に代えて、例えばコントローラ６４にバッテリ取り付け部を直接配置する構成としてもよい。係るバッテリ式の電気毛布は、そのまま電気絨毯、電気ブランケット（ひざ掛け）、電気寝袋等の各種電気器具に適用することができる。
【００９７】
図１６には、第７実施形態の電気器具７０として、バッテリ式の電気座布団が例示されている。バッテリ式の電気座布団は、ねじ締め機等の充電式電動工具の電源としても用いられるバッテリパック１を電源として用いることができる。この電気器具７０は、保温対象物（主として人体の脚部）を温める保温部としての座布団本体７１と、座布団本体７１に組み込まれた熱源７２としての電熱線と、電源としてのバッテリパック１を取り付けるためのバッテリ取り付け部７３を備えている。
【００９８】
第７実施形態におけるバッテリ取り付け部７３も、第６実施形態と同様座布団本体７１から分離した分離式となっている。バッテリ取り付け部７３に取り付けたバッテリパック１の電力は、電源コード７６を経てコントローラ７４の電源回路に供給される。電源コード７６の中途には、電源スイッチ７５が介装されている。電源スイッチ７５をオンすると、熱源としての熱源７２に電力が供給されて座布団本体７１が温められる。この電気器具７０によっても、バッテリパック１を電源とすることから第６実施形態と同様、商用１００Ｖの交流電源が用意されていない場所でも利用することができるとともに、既に所有するバッテリパック１を有効活用することができる。さらに、分離式のバッテリ取り付け部７３を有することから、バッテリパック１が脚部に当たるといったことがなく、その使用感が損なわれることがない。
【００９９】
図１７には、第８実施形態の電気器具８０としてバッテリ式の電気スリッパが例示されている。この電気スリッパは、主として椅子に着座した状態で足温器具として用いることができる。この電気器具８０は、保温対象物（人の足）を温める保温部としての左右一対のスリッパ本体８１と、スリッパ本体８１の底部に組み込んだ熱源８２としてのペルチェ素子と、熱源８２に電力を供給する電源としてのバッテリパック１を取り付けるためのバッテリ取り付け部８３を備えている。
【０１００】
第８実施形態の電気器具８０においても、分離式のバッテリ取り付け部８３が用いられている。左右のスリッパ本体８１とバッテリ取り付け部８３は電源コード８４を経て電気的に接続されている。電源コード８４の中途には、電源スイッチ８５とコントローラ８６が設けられている。バッテリ取り付け部８３の下面に沿ってバッテリパック１をスライドさせて取り付け、取り外しすることができる。バッテリ取り付け部８３にバッテリパック１を取り付けて電源スイッチ８５をオンさせると、熱源８２としてのペルチェ素子に電力が供給されて左右のスリッパ本体８１が温められる。
【０１０１】
左右のスリッパ本体８１の温度は、コントローラ８６により管理される。左右のスリッパ本体８１の温度が温度センサで検知され、これに基づいてコントローラ８６ではバッテリパック１からの電力が供給、遮断されてスリッパ本体８１の温度が適正温度に維持される。電源スイッチ８５及びコントローラ８６は、電源コード８４の中途ではなく、スリッパ本体８１若しくはバッテリ取り付け部８３に設ける構成としてもよい。この点は、前記した第７実施形態及び以下説明する第９実施形態以降の分離電源式の各実施形態についても同様である。
【０１０２】
図１８には、第９実施形態の電気器具９０として充電式の電気手袋が例示されている。保温対象物（主として人の手）を温める保温部としての左右一対の手袋本体９１と、手袋本体９１を温める熱源９２としての電熱線と、熱源９２に電力を供給するバッテリパック１を取り付けるためのバッテリ取り付け部９３を備えている。第９実施形態も、バッテリ取り付け部９３が手袋本体９１から分離した構成を備えている。バッテリ取り付け部９３は、電源コード９４を経て左右の熱源９２に電気的に接続されている。電源コード９４の中途には、コントローラ９５と電源スイッチ９６が設けられている。
【０１０３】
左右の手袋本体９１の温度は、コントローラ９５により管理される。左右の手袋本体９１の温度が温度センサで検知され、これに基づいてコントローラ９５ではバッテリパック１からの電力が供給、遮断されて手袋本体９１の温度が適正温度に維持される。
【０１０４】
電源スイッチ９６をオンすると、バッテリパック１の電力が、電熱線９２に供給されて手袋本体９１が温められる。使用者は指先を出した状態で手袋本体９１を両手に装着することにより、両手を適温に温めた状態で例えばキーボード９７の打ち込み操作を快適に行うことができる。
【０１０５】
第６実施形態のバッテリ式電気毛布（電気器具６０）、第７実施形態のバッテリ式座布団（電気器具７０）、第８実施形態のバッテリ式電気スリッパ８０、第９実施形態のバッテリ式電気手袋９０あるいはバッテリ式の電気絨毯、バッテリ式の電気ブランケット、バッテリ式の電気寝袋等の各種電気器具についても、複数個のバッテリパック１を電源として取り付ける構成としてもよい。また、スライド取り付け式のバッテリパック１に代えて、差し込み式のバッテリパック２を電源として取り付ける構成としてもよい。さらに、取り付けるバッテリパック１（２）の出力電圧についても、例示した１０．８Ｖ出力に限定されるものではなく、３６Ｖ出力、１８Ｖ、１４．４Ｖ出力等のバッテリパックを１個若しくは複数個取り付ける構成とすることができる。
【０１０６】
以上説明したように、ねじ締め機や切断機等の充電式電動工具の電源として用いられるバッテリパック１（２）を電源として取り付けることができる電気器具１０〜９０として、温冷庫（第１実施形態）、アイロン（第２実施形態）、炊飯器（第３実施形態）、ホットプレート（第４実施形態）、カップウォーマー（第５実施形態）、電気毛布（第６実施形態）、電気座布団（第７実施形態）、電気スリッパ（第８実施形態）、電気手袋（第９実施形態）を例示した。これら各種の電気器具１０〜９０に適用した発明は、前記したように電気絨毯、電気ブランケット（ひざ掛け）、電気寝袋等の他に、弁当箱保温用の電気ポーチ（図１９、図２０）、ペットボトル保温用の電気ボトルウォーマー（図２１）、携帯式の電気ポット（図２２）、電気ドリンクホルダ（図２３、図２４）、保温鍋敷き（図２５）、加熱調理台（図２６）、クーラーボックス（図２７）、電気トースター（図２８）、電気ポット（図２９）、ホットサンドメーカー（図３０）、除湿器（図３１）、電気マグカップ（図３２）にも適用することができる。以下、各実施形態について簡単に説明する。
【０１０７】
図１９及び図２０に示す第１０実施形態に係る電気器具１００は、弁当箱１０１を収容して保温しておくための電気ポーチで、商用１００Ｖの交流電源が用意されていない仕事場において、弁当箱１０１を食事時まで温めておくことができる。図１９に示す電気器具１００は、弁当箱１０１を収容する収容部１０２と、収容部１０２を閉止する蓋部１０３を備えている。蓋部１０３の内面に熱源１０５としてのペルチェ素子を収容するポケット１０４が設けられている。熱源１０５に、電源コード１０７を介してバッテリ取り付け部１０６が接続されている。バッテリ取り付け部１０６の上面にスライド取り付け形式のバッテリパック１が取り付けられている。バッテリパック１の電力が電源コード１０７を介して熱源１０５の加熱側に供給される。熱源１０５が加熱されることにより保温対象物としての弁当箱１０１が保温される。バッテリパック１の電力を、熱源１０５の冷却側に供給する構成とすれば、保温対象物としての弁当箱１０１を冷却しておくことができ、夏場の食品腐敗を防止することができる。切り替えスイッチを設けてバッテリパック１の電力を熱源１０５の加熱側若しくは冷却側に切り替えて供給可能とすることにより、当該電気器具１００を保温用のウォーマーと冷却用のクーラーとに任意に切り替えて用いることができる。
【０１０８】
図２０に示す電気器具１００は、スライド取り付け形式のバッテリパック１に代えて、スティック形のバッテリパック２を電源として取り付ける構成を備えている。収容部１０２の側部に、スティック形のバッテリパック２を取り付けるためのバッテリ取り付け部１０８が設けられている。収容部１０２の底部に熱源１０５としてのペルチェ素子が内装されている。バッテリ取り付け部１０８に差し込んで取り付けたバッテリパック２の電力は、熱源１０５の加熱側に供給される。第１０実施形態においても、バッテリパック１（２）については、複数個取り付ける構成とすることができる。
【０１０９】
図２１に示す第１１実施形態に係る電気器具１１０は、保温対象物としてのペットボトル１１１を収容して保温しておくための巾着型のボトルウォーマーで、商用１００Ｖの交流電源が用意されていない屋外等においてペットボトル１１１を保温しておくことができる。この電気器具１１０は、保温部としての袋本体部１１２と、熱源１１３としての電熱線と、バッテリ取り付け部１１４を備えている。
【０１１０】
バッテリ取り付け部１１４は袋本体部１１２の底部に設けられている。このバッテリ取り付け部１１４に、スライド取り付け式のバッテリパック１を取り付けることができる。バッテリパック１の電力は、同じく袋本体部１１２の底部に内装したコントローラ１１５の電源回路に供給される。袋本体部１１２には熱源１１３が張り巡らされている。電源回路に供給されたバッテリパック１の電力により、熱源１１３が加熱されて、ペットボトル１１１が保温される。
【０１１１】
図２２に示す第１２実施形態に係る電気器具１２０は、保温対象物としての飲料水を収容して保温若しくは冷却しておくことができる携帯式の電気ポットで、円筒形の本体部１２１と、本体部１２１を水密に塞ぐ蓋１２２と、本体部１２１の底部に内装した熱源１２３と、本体部１２１の底部に設けたバッテリ取り付け部１２４を備えている。熱源１２３には、ペルチェ素子が用いられている。バッテリ取り付け部１２４には、差し込み取り付け形式のバッテリパック２を取り付けることができる。
【０１１２】
バッテリ取り付け部１２４に取り付けたバッテリパック２の電力は、熱源１２３の加熱側に供給される。熱源１２３の加熱側にバッテリパック２の電力が供給されることにより、本体部１２１の内部が加熱されて保温対象物としての飲料水等が保温される。
【０１１３】
図２３に示す第１３実施形態に係る電気器具１３０は、ペットボトルや缶飲料等の保温対象物を保温若しくは冷却しておくためのドリンクホルダで、ペットボトル等の保温対象物１３１を収容する収容部本体１３２と、熱源１３３としてのペルチェ素子と、バッテリ取り付け部１３４を備えている。収容部本体１３２に、円筒形の収容凹部１３２ａが設けられている。収容凹部１３２ａ内に、ペットボトルや缶飲料を起立させておくことができる。
【０１１４】
収容部本体１３２の底部に熱源１３３としてのペルチェ素子が内装されている。収容部本体１３２の背面にバッテリ取り付け部１３４が設けられている。バッテリ取り付け部１３４には、スライド取り付け式のバッテリパック１を取り付けることができる。収容部本体１３２の上面には、保温と冷却を切り替えるための切り替えスイッチ１３５が設けられている。バッテリ取り付け部１３４に取り付けたバッテリパック１の電力は、熱源１３３の加熱側若しくは冷却側に供給される。バッテリパック１の電力の供給側は、切り替えスイッチ１３５の操作により切り替えることができる。
【０１１５】
切り替えスイッチ１３５を保温側に切り替えることにより、熱源１３３の加熱側に電力が供給される。これにより、収容部本体１３２が加熱されて収容凹部１３２ａに収容したペットボトル等が保温される。切り替えスイッチ１３５を冷却側に切り替えることにより、熱源１３３の冷却側に電力が供給される。これにより、収容部本体１３２が冷却されて収容凹部１３２ａに収容したペットボトル等が冷却される。
【０１１６】
図２４に示す電気器具１３０は、分離形のバッテリ取り付け部１３６を備えている。バッテリ取り付け部１３６は電源コード１３７を介して収容部本体１３２の電源回路に電気的に接続されている。第１３実施形態においても、スライド取り付け形式のバッテリパック１に代えて、差し込み取り付け形式のバッテリパック２を１つ若しくは複数本電源として取り付ける構成としてもよい。
【０１１７】
図２５には、第１４実施形態の電気器具１４０が示されている。第１４実施形態の電気器具１４０として、保温鍋敷きが示されている。この電気器具１４０は、保温対象物１４１としての鍋を載せる鍋敷き本体１４２と、スライド取り付け形式のバッテリパック１を取り付けるためのバッテリ取り付け部１４３を備えている。鍋敷き本体１４２に、熱源１４５としてペルチェ素子が内装されている。熱源１４５に、バッテリパック１から電力が供給される。バッテリパック１は、電源コード１４４を介して鍋敷き本体１４２と分離されたバッテリ取り付け部１４３に取り付けられる。バッテリパック１は、バッテリ取り付け部１４３の上面に対してスライドさせて取り付け、取り外しすることができる。バッテリ取り付け部は鍋敷き本体に一体に設ける構成としてもよい。例えば、鍋敷き本体１４２の下面側に一つ若しくは複数個のバッテリパック１を取り付けてウエイトとしても機能させることにより、鍋敷き本体１４２の設置の安定性を高めることができる。
【０１１８】
図２６には、上記保温鍋敷きよりも高い加熱力を有する第１５実施形態の電気器具１５０が示されている。第１５実施形態では、電気器具１５０として、クッキングヒータ（加熱調理台）が示されている。保温対象物１５１としての鍋を載せる本体部１５３と、スライド取り付け形式のバッテリパック１を取り付けるためのバッテリ取り付け部１５４を備えている。図では省略されているが、本体部１５３に、熱源としてのペルチェ素子が内装されている。熱源１５２により円形の加熱部１５２が加熱される。加熱部１５２上に保温対象物１５１が載せられて調理のための加熱がなされる。バッテリ取り付け部１５４は電源コード１５５を経て本体部１５３から分離されている。
【０１１９】
図２７には、第１６実施形態にかかる電気器具１６０が示されている。第１６実施形態では、電気器具１６０として、クーラーボックスが示されている。この電気器具１６０は、上方に開口されたボックス本体部１６１と、ボックス本体部１６１の開口を閉じる蓋部１６２を有している。蓋部１６２に熱源１６３としてのペルチェ素子が内装されている。蓋部１６２の内面には、放熱ファン１６６が設けられている。熱源１６３により加熱された蓋部１６２内の空気が熱風となってボックス本体部１６１内に吹き出される。ボックス本体部１６１内に吹き出された熱風により、その内部に収容した保温対象物（図では省略されている）が加熱される。熱源１６３の電源回路に、電源コード１６５を介して電気的に接続されたバッテリ取り付け部１６４にスライド取り付け形式のバッテリパック１が取り付けられている。
【０１２０】
図２８には、第１７実施形態の電気器具１７０として、電気トースターが示されている。図２９には、第１８実施形態の電気器具１８０として、電気ポットが示されている。図３０には、第１９実施形態の電気器具１９０として、ホットサンドメーカーが示されている。図３１には、第２０実施形態の電気器具２００として除湿器が示されている。図３２には、第２１実施形態の電気器具２１０として電気マグカップが示されている。これら各実施形態の電気器具１７０、１８０、１９０、２００、２１０では、スライド取り付け形式のバッテリパック１を電源として用いることができる。第１７実施形態の電気器具１７０、第１９実施形態の電気器具１９０、第２０実施形態の電気器具２００では、バッテリパック１を取り付けるためのバッテリ取り付け部１７１、１９１、２０１が本体部に一体に設けられている。第１８実施形態の電気器具１８０と第２１実施形態の電気器具２１０では、バッテリ取り付け部１８１、２１１が電源コード１８２、２１２を介して本体部から分離された構成を備えている。
【０１２１】
第１７実施形態の電気器具１７０では、本体部１７２の側部にバッテリ取り付け部１７１が設けられている。バッテリ取り付け部１７１に対してバッテリパック１を下方に向けてスライドさせて取り付けることができ、上方へスライドさせて取り外すことができる。バッテリパック１の電力が熱源としてのペルチェ素子の加熱側に供給される。熱源に電力供給されることにより本体部の庫内が加熱されて、内部に収容した保温対象物としての食パンが加熱される。電源として複数個のバッテリパック１を本体部１７２の下面側に装着する構成とすることにより、本体部１７２の設置の安定性を高めることができる。スライド取り付け形式のバッテリパック１に代えて若しくは加えてスティック形のバッテリパック２を電源として用いることができる。
【０１２２】
第１８実施形態の電気器具１８０は、熱源としてのペルチェ素子を内装したポット本体部１８４と、ポット本体部１８４を載せる円盤形の受け台１８３と、受け台１８３を経てポット本体１８４の熱源に電力を供給するバッテリパック１を取り付けるためのバッテリ取り付け部１８１を備えている。バッテリ取り付け部１８１は、電源コード１８２を介して受け台１８３に内装した電源回路の電気的に接続されている。ポット本体１８４に内装した熱源に電力供給されることにより、ポット本体１８４内が加熱される。ポット本体１８４内が加熱されることにより、当該ポット本体１８４内に収容した飲料水を加熱して湯沸かしすることができる。
【０１２３】
第１９実施形態の電気器具１９０は、食パンを２枚横並び状態で収容可能な本体部１９２と、本体部１９２に収容した食パンを上方から挟み込む蓋部１９３を備えている。本体部１９２の内面と蓋部１９３の内面には、食パンの表面に凹凸を形成するための凸部が多数整然と配置されている。本体部１９２の側部に、スライド取り付け形式のバッテリパック１を装着するためのバッテリ取り付け部１９１が設けられている。本体部１９２と蓋部１９３の双方に、熱源としてのペルチェ素子が内装されている。バッテリパック１の電力がペルチェ素子の加熱側に供給されて凹凸部（加熱部）が加熱される。加熱された本体部１９２の凹凸部と蓋部１９３の凹凸部との間に挟み込まれた食パンが加熱される。
【０１２４】
第２０実施形態の電気器具２００は除湿器であり、本体部２０２と排水タンク２０３とを備えている。本体部２０２は、取り込んだ外気を除湿して室内に放出する公知の除湿システムを内装するもので、除湿により発生した水分が排水タンク２０３に貯留される。本体部２０２の背面側側部にバッテリ取り付け部２０１が設けられている。バッテリ取り付け部２０１に対してバッテリパック１をスライドさせて取り付け、取り外しすることができる。バッテリパック１の電力が熱源としてのペルチェ素子の冷却側に供給される。ペルチェ素子から冷気が発生して取り込んだ外気の除湿がなされる。
【０１２５】
第２１実施形態の電気器具２１０は、電気マグカップであり、カップ本体部２１３に収容した飲料水を保温し、若しくは保冷しておくことができる。カップ本体２１３の基台部２１３ａに熱源としてのペルチェ素子が内装されている。バッテリ取り付け部２１１は、電源コード２１２を介して基台部２１３ａに内装した電源回路に電気的に接続されている。バッテリ取り付け部２１１にスライド取り付け形式のバッテリパック１が取り付けられている。電源回路に供給されたバッテリパック１の電力は、ペルチェ素子の加熱側若しくは冷却側に供給される。基台部２１３ａの側部に設けた切替スイッチ２１３ｂにより、電力の供給が加熱側若しくは冷却側に切り替えられる。加熱側に切り替えられることにより、カップ本体部２１３に収容した飲料水を保温することができる。冷却側に切り替えられることにより、カップ本体部２１３に収容した飲料水を保冷することができる。
【０１２６】
以上説明した各実施形態では、バッテリ取り付け部を各機器の本体部に直接設ける構成とする他、電源コードを介して本体部から分離した状態で設ける構成を例示したが、後者の場合には、さらに電源コードを本体部から切り離し可能な外部接続式の電源アダプタを用いる構成としてもよい。係る外部接続式の電源アダプタが図３３及び図３４に示されている。図３３に示す電源アダプタ６は、図８に示すスティック形のバッテリパック２を電源として利用するもので、比較的小型軽量で大きな電力を必要としない電気器具に適している。この電源アダプタ６は、筒体形状を有し、その内周側にバッテリパック２を差し込んで電気的に接続するアダプタ本体６ａを備えている。アダプタ本体６ａから伸縮自在なカール式の電源コード６ｂが引き出されている。電源コード６ｂの先端には、電気器具の本体側に設けた電源ジャック８に差し込んで接続する接続プラグ６ｃが設けられている。
【０１２７】
図３４に示す電源アダプタ７は、図３〜図５に示すボックス形のバッテリパック１を電源として利用するもので、比較的大きな電力を要する電気器具に適している。電源アダプタ７は、台座形を有し、その下面側にスライド取り付け形式のバッテリパック１を取り付けるアダプタ本体７ａを備えている。アダプタ本体７ａからは上記と同じく伸縮自在なカール式の電源コード７ｂが引き出されている。電源コード７ｂの先端には、電気器具の本体側に設けた電源ジャック８に差し込んで接続する接続プラグ７ｃが設けられている。アダプタ本体７ａの上面には、使用者が腰ベルト等に当該電源アダプタ７を引き掛けておくためのフック７ｄが設けられている。
【０１２８】
上記の外部接続式の電源アダプタ６，７によれば、電気器具本体の小型化、軽量化を図ってその使い勝手を一層高めることができる。また、電源アダプタ６，７をオプション部品とすることにより、電気器具本体の販売価格を下げることができるとともに、その汎用性を高めることができる。
【０１２９】
図３５及び図３６にはそれぞれバッテリ式の照明具２２０，２３０が示されている。２つの照明具２２０，２３０は、それぞれ光源を有する本体部２２１，２３１と、使用者が把持するグリップ部２２２，２３２と、バッテリパック１を取り付けるための電源部２２３，２３３を備えている。
【０１３０】
図３５に示す照明具２２０は、棒形の本体部２２１に棒状の蛍光管２２１ａとＬＥＤ電球２２１ｂを内装した構成を備えている。グリップ部２２２の上部後面に設けた押しボタンスイッチ２２４を１回押し操作すると蛍光管２２１ａが点灯する。蛍光管２２１ａの点灯により周囲が明るく照らされる。蛍光管２２１ａが点灯した状態で、押しボタンスイッチ２２４をもう一度押し操作すると、蛍光管２２１ａが消灯する一方、ＬＥＤ電球２２１ｂが点灯する。ＬＥＤ電球２２１ｂが点灯すると、前方（図３５では上方）を明るく照らすことができる。ＬＥＤ電球２２１ｂが点灯した状態で押しボタンスイッチ２２４をもう一度押し操作すると、ＬＥＤ電球２２１ｂも消灯する。
【０１３１】
電源部２２３には、前記各実施形態と同じく出力電圧が１０．８Ｖのスライド取り付け式のバッテリパック１を取り付けることができる。蛍光管２２１ａ及びＬＥＤ電球２２１ｂは、バッテリパック１の電力を電源として点灯する。本体部２２１の先端部と、電源部２２３の前部には、肩ベルト（図示省略）やハンドストラップを引き掛けておくための引き掛け部２２５，２２６が設けられている。
【０１３２】
図３６に示された照明具２３０は、円筒型の本体部２３１と、使用者が把持するグリップ部２３２と、バッテリパック１を取り付けるための電源部２３３を備えている。本体部２３１は、支軸２３１ａを介して前後に傾動可能な状態でグリップ部２３２の上部に支持されている。本体部２３１には、基板２３４上に搭載した複数個のＬＥＤ（発光ダイオード）２３４ａを光源として内装されている。グリップ部２３２の上部前面に設けた押しボタンスイッチ２３５を押し操作すると、ＬＥＤ２３４ａが発行して前方が明るく照らされる。図では見えていないが、ＬＥＤ２３４ａの後方には、反射方向を少しずつ変化させて前方へ集束させるマルチリフレクタが配置されている。これにより、ＬＥＤ２３４ａの前方へ群を抜く明るさが確保されている。
【０１３３】
支軸２３１ａを中心にして本体部２３１を前後方向に約１８０°の範囲で回動させることにより、明るく照らされる方向を前方、上方及び後方を含む約１８０°の範囲で変更することができる。これにより、使用者は、グリップ部２３２を持ち替えたりすることなく明るく照らされる方向を変更することができる。押しボタンスイッチ２３５をもう一度押し操作すると、消灯する。電源部２３３には、前記各実施形態と同じく出力電圧が１０．８Ｖのスライド取り付け式のバッテリパック１を取り付けることができる。複数個のＬＥＤ２３４ａは、バッテリパック１の電力を電源として点灯する。グリップ部２３２の上部後面と、電源部２３３の後部には、肩ベルト（図示省略）やハンドストラップを引き掛けておくための引き掛け部２３６，２３７が設けられている。
【０１３４】
図３７には、第２２実施形態に係る電気器具２４０が示されている。この電気器具２４０は、使用者が着衣する衣服類ではなく、一定位置に留まる際に用いる複数の暖房器具２４１、２４２を一つのスライド取り付け形式のバッテリパック１を電源として用いる構成を備えている。第２２実施形態では、複数の暖房器具２４１、２４２として座布団とブランケット（ひざ掛け）が設定されている。２つの暖房器具２４１，２４２には、一つのバッテリパック１を取り付けたバッテリ取り付け部２４３及び二股の電源コード２４４を介して電源供給される。２つの暖房器具２４１，２４２には、電熱線２４１ａ，２４２ａが張り巡らされている。第２２実施形態の電気器具２４０によれば、一人が２つの暖房器具２４１，２４２を同時に利用することができ、一人が一方の暖房器具２４１（２４２）を使用し、もう一人が他方の暖房器具２４２（２４１）を同時に使用することができる。
【０１３５】
図３８〜図４３には、第２３実施形態の電気器具２５０が示されている。第２３実施形態の電気器具２５０は、主として電気座布団として機能するもので、半分に折り畳むことができる。図３８は折り畳んだ状態を示し、図３９は開いた状態を示している。電気器具２５０は、それぞれ矩形平板形の第１板部２５１と第２板部２５２と、両板部２５１，２５２を折り畳み状態に結合するファスナ２５３を備えている。ファスナ２５３を開けると、図３９に示すように第１板部２５１と第２板部２５２を展開することができる。電気器具２５０の折り畳み方は、半分に折り畳む構成に限らず、三つ折りやそれ以外の折り畳み方とする構成でもよい。
【０１３６】
第１板部２５１と第２板部２５２を折り畳んでファスナ２５３で閉じておくことにより当該電気器具２５０を楽に持ち運びすることができる。電気器具２５０の折り畳んだ状態で外面となる外表面には、撥水処理が施されてよごれにくくなっているとともに雨対策が施されている。
【０１３７】
第１板部２５１と第２板部２５２の内側角部には、矩形の凹部２５１ａ，２５２ａが設けられている。凹部２５１ａ，２５２ａにそれぞれ一つのバッテリ取り付け部２５４とバッテリパック１を収容しておくことができる。また、図３９に示すように、電気器具２５０を広げた状態において、凹部２５１ａ，２５２ａの一方または両方にバッテリ取り付け部２５４とバッテリパック１を収容しておくこともできる。また、バッテリ取り付け部２５４とバッテリパック１を凹部２５１ａ，２５２ａが協働して形成する空間に収容したまま電気器具２５０を折り畳むこともできる。これにより、バッテリパック１を電気器具２５０とともに持ち運びできる。バッテリ取り付け部２５４は、電源コード２５５を介して電熱線２５２ｂ，２５１ｂに接続されている。電熱線２５１ｂ，２５２ｂは、それぞれ第１及び第２板部２５１，２５２に張り巡らされており、かつ相互に電気的に接続されている。第１及び第２板部２５１，２５２の電熱線２５１ｂ，２５２ｂが一つのバッテリパック１を電源として加熱される。
【０１３８】
図４０は、凹部２５２ａからバッテリ取り付け部２５４とバッテリパック１を取り出した状態を示している。図４１は、凹部２５２ａからバッテリ取り付け部２５４とバッテリパック１を取り出した状態で、第１板部２５１と第２板部２５２を折り畳んだ状態を示している。本実施形態の電気器具２５０は、図３８、図４１に示す折り畳み状態でも一人用の座布団として利用できるほか、図３９及び図４２に示すように第１板部２５１と第２板部２５２を開くことにより、大型の座布団として利用することができる。
【０１３９】
また、図４３に示すように複数の電気器具２５０を結合してより大型の座布団若しくは暖房敷き布団（ヒートマット）として利用することができる。複数の電気器具２５０は、ファスナ２５３を利用して相互に結合することができる。図では示されていないが、バッテリ取り付け部２５４及び電源コード２５５を当該電気器具２５０に対してコネクタ接続する構成とすることができる。このコネクタ接続によりバッテリ取り付け部２５４及び電源コード２５５を電気器具２５０から取り外しておくことができる。複数の電気器具２５０をファスナ２５３で結合し、一方のバッテリ取り付け部２５４及び電源コード２５５のコネクタ接続を外して、他方のバッテリ取り付け部２５４に取り付けたバッテリパック１を電源として複数の電気器具２５０を利用することができる。この場合、予め各電熱線２５１ｂ，２５２ｂが電気的に接続された状態とされる。複数の電気器具２５０を結合する場合に、それぞれに独自のバッテリ取り付け部２５４及び電源コード２５５を接続して個別のバッテリパック１で電源供給する構成としてもよい。
【０１４０】
図４４及び図４５には、第２４実施形態の電気器具２６０が示されている。第２４実施形態の電気器具２６０は、簡易な保温箱として用いることができる構成を備えている。図４４に示すように電気器具２６０は、６面を有する矩形の箱型を有している。内面に電熱線２６１が張り巡らされている。図４５に示すようにコネクタ部２６４を介して電熱線２６１に電源コード２６３がコネクタ接続される。電源コード２６３を介してバッテリ取り付け部２６２に取り付けたバッテリパック１から電熱線２６１に電源供給される。
【０１４１】
蓋部となる部分２６０ａ，２６０ｂには、相互に結合する面ファスナ２６５が取り付けられている。第２４実施形態の電気器具２６０は、図４４に示すように破線で示す稜線に沿って折り曲げて矩形箱型の電気器具として用いる他、図４５に示すように展開して平板形状とすることにより狭小な隙間に収納しておくことができるようになる。この電気器具２６０に予備のバッテリパック１を収容して温めておくことにより、寒冷地等でのバッテリパックの保温を行うことができる。バッテリパック１に加えて、缶飲料２６６等を温めておくことができる。蓋部となる部分２６０ａ，２６０ｂを相互に結合させるために、面ファスナ２６５の代わりにファスナ、マグネット、ボタン等を利用してもよい。
【０１４２】
図４６〜図４８には、第２５実施形態の電気器具２７０が示されている。第２５実施形態の電気器具２７０は、柔らかい素材の平布形を有する暖房器具で、例えば図４６に示すように肩掛けポンチョとして用いることができ、あるいは図４７に示すように折り畳んで座布団として用いることができ、あるいは図４８に示すようにひざ掛けブランケットとして用いることができる。電気器具２７０のほぼ全体に電熱線２７１が張り巡らされている。電気器具２７０には、電源コード２７２を介してバッテリ取り付け部２７３が接続されている。バッテリ取り付け部２７３に取り付けたバッテリパック１から電熱線２７１に電力供給される。図４６に示すように電気器具２７０を広げて上半身を覆うことにより、電気式の肩掛けポンチョとして用いることができる。ポンチョとして用いる場合には、ボタン２７４を利用することができる。正面側でボタン２７４をかけておくことにより、電気器具２７０を肩掛け状態に保持しておくことができる。逆に図４７に示すように電気器具２７０を折り畳んで電気座布団として用いることができる。この場合、ボタン２７４を利用することにより電気器具２７０を折り畳み状態に保持しておくことができる。電気器具２７０を折り畳み状態に保持しておくために、ボタン２７４の代わりにファスナ、面ファスナ、マグネット等を利用してもよい。図４８に示すように電気器具２７０を広げて着座時にブランケットとして膝に掛けておくことにより下半身を温めることができる。
【０１４３】
図４９〜図５１には、第２６実施形態の電気器具２８０が示されている。第２６実施形態の電気器具２８０は、チューブ形の布地２８１に電熱線２８２を張り巡らせた構成を備えている。電熱線２８２には、電源コード２８３を介してバッテリ取り付け部２８４が接続されている。バッテリ取り付け部２８４には一つのバッテリパック１を取り付けることができる。図５０に示すようにチューブ形の布地２８１の両側にそれぞれ手を差し入れておくことにより、使用者の両手を温めておくことができる。第２６実施形態の電気器具２８０は、図５１に示すように首の周囲に巻き付けて電気マフラーとしても利用することができる。電気器具２８０を電気マフラーとして利用する場合には、ショルダーストラップ２８５を用いることができる。ショルダーストラップ２８５は、肩ベルト２８５ａをバッテリ収容ボックス２８５ｂを備えている。電気器具２８０を電気マフラーとして利用する場合には、バッテリ取り付け部２８４及びバッテリ１をバッテリ収容ボックス２８５ｂに収容し、これを肩ベルト２８５ａで肩に斜め掛けしておくことができる。電気器具２８０を電気マフラーとして利用する場合には、ショルダーストラップ２８５を用いることによりバッテリ取り付け部２８４及びバッテリ１を楽に携行することができ、当該電気器具２８０の使い勝手を高めることができる。
【０１４４】
図５２〜図５４には、第２７実施形態の電気器具２９０が示されている。第２７実施形態の電気器具２９０は、円環形の布地２９１に電熱線２９２を張り巡らせた構成を備えている。電熱線２９２には、電源コード２９３を介してバッテリ取り付け部２９４が接続されている。バッテリ取り付け部２９４には各実施形態と同じく１つのバッテリパック１が取り付けられる。第２７実施形態の電気器具２９０は、図５３に示すように首に巻いてネックウォーマとして利用でき、図５４に示すように両目に巻き付けてアイウォーマとして利用することができる。電気器具２９０を首に巻き付けることにより首の防寒対策を行うことができ、両目の周囲に巻き付けることにより両目及びその周辺を温めることができる。ネックウォーマやアイウォーマとして利用する場合には、バッテリ取り付け部２９４及びバッテリパック１を例えばテーブルの上に設置しておいてもよいし、上記第２６実施形態で例示したショルダーストラップ２８５を用いる構成としてもよい。
【０１４５】
次に、以上例示した各種の電気器具３００とバッテリパック４００との間でなされる各種の制御について説明する。これまでに例示した各種の電気器具について適用可能とされるコントローラ１４，６４，７４，８６，９５，１１５を総括した基本的な範囲で説明する。バッテリパック４００は、スライド取り付け形式（ボックス形）のバッテリパック１であり、スティック形のバッテリパック２を用いる場合であっても制御内容は実質的に同じである。
【０１４６】
図５５に示すように、バッテリパック４００には、正負の電源端子受け部４０１，４０２と３つの通信端子受け部４０３，４０４，４０５が設けられている。また、バッテリパック４００の下面には、電力の残容量をＬＥＤ表示するための残容量表示部４０６が設けられている。バッテリパック４００には、残容量検出回路４０７と３本のバッテリセルＶ１，Ｖ２，Ｖ３が内装されている。３本のバッテリセルＶ１，Ｖ２，Ｖ３で１０．８Ｖの出力電圧が確保される。バッテリパック４００には、バッテリセルＶ１の温度を検出するサーミスタ４０８が内装されている。
【０１４７】
なお、サーミスタ４０８は抵抗温度特性が負特性のＮＴＣサーミスタが一般的に用いられるが、正特性のＰＴＣサーミスタを用いてもよい。また、本実施形態ではサーミスタ４０８はバッテリの温度を適切に検出するため、バッテリセルＶ１の近傍に配置した構成が例示されているが、これに代えてバッテリセルＶ２，Ｖ３の近傍に配置する構成としてもよい。Ｖ１，Ｖ２，Ｖ３に大きな温度差がある場合は、最も温度上昇しやすいバッテリセルにサーミスタを配置することが望ましい。
【０１４８】
バッテリパック４００は、電気器具のバッテリ取り付け部から取り外した状態であっても、残容量表示部４０６で残容量を確認することができる。残容量表示部４０６は、ＬＥＤ１〜ＬＥＤ４で４灯表示される。残容量検出回路４０７は、使用者が残容量スイッチ４０９（図５に示す残容量スイッチ１ｋ）を押し操作すると、残容量に応じてＬＥＤ１〜ＬＥＤ４を点灯させる。残容量検出回路４０７では、バッテリ電圧に応じて残容量が検出され、例えば２５パーセント毎に、１灯、２灯、３灯、４灯と点灯数を切り替える制御がなされる。
【０１４９】
バッテリパック４００の正負の電源端子受け部４０１，４０２と、３つの通信端子受け部４０３，４０４，４０５のうちバッテリセル温度検出用端子受け部４０５が電気器具のバッテリ取り付け部側に電気的に接続される。バッテリセル温度検出用端子受け部４０５が、図４における中央の通信端子受け部１ｄに相当する。３つの通信端子受け部４０３，４０４，４０５のうち、バッテリセル電圧検出用端子受け部４０３，４０４は充電器用端子受け部であり、充電器との間でのみ接続される。電気器具３００には、電気エネルギーを電気器具の熱源に変換する熱変換部３０１と、電源回路３０２と、制御マイコン３０３と、バッテリ状態検出部３０４と、通電制御スイッチ（ＦＥＴ）３０５と、スイッチの駆動回路３０６と、メインスイッチ３１０と、強弱スイッチ３１１と、電流検出回路３１５が搭載されている。
【０１５０】
電源回路３０２では、バッテリ電圧が入力されると、そのバッテリ電圧を所定電圧値の制御電圧Ｖｃｃに降圧して出力する。電源回路３０２で生成される制御電圧Ｖｃｃは、制御マイコン３０３や駆動回路３０６など各部の動作用電源として用いられる。
【０１５１】
制御マイコン３０３は、ＣＰＵ、ＲＯＭ、ＲＡＭ、Ｉ／Ｏなどを備えたマイクロコンピュータである。
【０１５２】
バッテリ状態検出部３０４では、バッテリパック４００の電源端子受け部４０１及び電気機器の正極端子３１２から入力されるバッテリ電圧をバッテリ電圧検出回路３１６が検出し、制御マイコン３０３へ入力される。相互に接続された通信端子受け部４０５と通信端子３１７を介してバッテリ温度検出回路３１４がサーミスタ４０８の抵抗値を検出することで、制御マイコン３０３にサーミスタ４０８の抵抗値検出値が入力される。なお、制御マイコンのＲＯＭには、予めサーミスタ４０８の特性が格納されており、制御マイコンは入力されたサーミスタ４０８の抵抗値とＲＯＭに格納された特性データから、バッテリセルの温度を検出することができる。
【０１５３】
電流検出回路３１５では、電気器具が動作している際に流れる通電電流により、例えば電流検出用抵抗の両端に発生する電位差から、通電電流値を検出することができる。
【０１５４】
通電制御スイッチ３０５は本実施形態ではＮチャネルＭＯＳＦＥＴを用いており、駆動回路３０６がオンオフのデューティー比を制御することで、熱変換部に供給する電力を制御することができる。
【０１５５】
メインスイッチ３１０はスイッチがオン状態であるか否かを制御マイコン３０３へ入力されるように構成されており、強弱スイッチ３１１は例えば強モードで動作させたい場合にはスイッチがオン状態であることを制御マイコン３０３へ入力させ、弱モードで動作させたい場合はオフ状態であることを制御マイコン３０３へ入力させる。なお、本実施形態ではメインスイッチ３１０と強弱スイッチ３１１を別体としているが、例えば、一つのスイッチを用いて、スイッチをオンさせた回数に応じて強、弱、停止を切り替えるように構成してもよい。
【０１５６】
図５６には、制御マイコン３０３でなされる動作制御であって、主としてバッテリパック４００の放電保護を図るためのフローチャートが示されている。電気器具３００のバッテリ取り付け部にバッテリパック４００が取り付けられると、電気器具３００に電源供給されて、制御マイコン３０３が作動する。その後使用者がメインスイッチ３１０をオン操作した信号が制御マイコン３０３へ入力されると（ステップ０１、以下「ＳＴ０１」と略記する。）、先ずＳＴ０２で、制御マイコン３０３はバッテリ状態検出部３０４からバッテリ状態を取得する。バッテリ状態とは上記したようにバッテリ電圧とバッテリセル温度のことである。取得されたバッテリ状態に基づいてＳＴ０３で起動許可の条件が判定される。この場合、バッテリパック４００の電圧が８Ｖ以上で、温度が６０℃以下の場合に起動許可条件を満たしていると判定される。起動許可条件を満たしていないと判定された場合には、ＳＴ０５でフローが終了されて、メインスイッチ３１０がオン状態となっていても電気器具３００は動作を開始しない。
【０１５７】
ＳＴ０３で起動条件を満たしていると判定されると、ＳＴ０４で強モードであるか否かの確認がなされる。強弱スイッチ３１１の切り替え状態に応じて駆動回路３０６へオン、オフのデューティー比(Duty)を変化させて、通電制御スイッチ３０５により熱変換部３０１へ供給される電力が制御される。ＳＴ０４で強モードが確認されると、ＳＴ０６でDuty１００パーセントの電力が熱変換部３０１に供給される。ＳＴ０４で強モードが確認されず、弱モードと判定されると、ＳＴ０７でDuty５０パーセントの電力が熱変換部３０１に供給される。
【０１５８】
電力供給中（電気器具の使用中）、ＳＴ０８でバッテリ状態が取得される。ＳＴ０２での処理と同様にバッテリ状態検出部３０４にて、バッテリ電圧とバッテリセル温度が検出される。制御マイコン３０３は、バッテリ状態検出部３０４から、検出したバッテリ電圧とバッテリセル温度を取得する。さらに、電力供給中は通電電流が流れているため、電流検出回路３１５にて、通電電流値も検出される。制御マイコン３０３は、電流検出回路３１５から、検出した通電電流値を取得する。
【０１５９】
ＳＴ０８で取得したバッテリ状態に基づいて、ＳＴ０９で電気器具の停止条件を満たしているか否かの判定がなされる。停止条件は、例えばバッテリパック４００の電圧が７．５Ｖ以下であることが１秒以上検知され、温度が８０℃以上であることが１秒以上検知され、通電電流が８０Ａ以上であることが１秒以上検知されることに設定されている。これらの各条件の一つが検知されると、ＳＴ１１で通電制御スイッチ３０５がオフされ、メインスイッチ３１０がオン状態であっても電気器具３００が停止される。
【０１６０】
この種のバッテリパック４００は、大電流を流す電動工具あるいは電気器具に使用されるため、バッテリパック４００は高温状態になりやすい。そのため、バッテリパック４００が高温状態となったら放電を停止して寿命が短くなることを防ぐ必要がある。そこで、バッテリパック４００内のサーミスタ４０８の抵抗値の情報を電気器具３００の制御マイコン３０３がＴ端子３１７を介して読み取り、バッテリ温度が規定値（例えば８０℃）を超えたら通電制御スイッチ３０５をオフさせて電力供給を遮断する。
【０１６１】
以上の高温保護に加えて、過放電保護がなされる。過放電を防止するために、バッテリパック４００の電圧が規定値を下回ったことを検出したら放電停止するように、バッテリ電圧検出回路３１６で計測する。１０．８Ｖバッテリの場合、保護したいセル電圧２．５Ｖ×３本として、７．５Ｖを下回ったら電気器具を停止させる。ただし、電気器具は突入電流等で瞬間的に大電流が流れる場合があり、バッテリパックの残容量が空でなくても一瞬７．５Ｖを下回ってしまうことがあるため、検出時間には例えば１秒程度の幅を持たせることが望ましい。
【０１６２】
バッテリパック４００の急激な温度上昇を防ぐために、温度だけでなく一定値以上の過電流を検出したら停止するように、電流検出回路３１５で電流値が検出される。なお、起動時などの突入電流で停止しないように、検出時間には幅を持たせることが望ましい。また、バッテリパック４００だけでなく、電気器具自体も過電流が流れ続けると故障の原因になるため、電気器具側に流すことのできる電流値でバッテリパック４００の過電流保護を設定してもよい。
【０１６３】
上記各保護機能が動作して電気器具が停止したら、メインスイッチ３１０がオン状態を維持している間は、電気器具が動作しないようにラッチをかけておくと、使用者が意図しないときに電気器具が動作を再開してしまうことを防止することができる。また、動作してもすぐ停止しないように、起動条件は停止条件に対してヒステリシスを持たせておくとよい。例えば、７．５Ｖで停止させ、８．０Ｖで動作開始させる制御、あるいは８０℃で停止させて６０℃で動作開始させる制御を行うことが望ましい。
【０１６４】
また、バッテリセルの温度だけでなく、電気器具内の温度を検出して一定値を超えたら停止するようにしてもよい。例えば、熱変換部３０１の温度を検出できるように、熱変換部温度検出回路３０８のサーミスタを熱変換部３０１の近傍に配置する。熱変換部温度検出回路３０８により熱変換部３０１の温度が制御マイコン３０３入力され、熱変換部３０１の温度が異常状態となったら、制御マイコン３０３は、電気器具の停止条件を満たしていると判断し、電気器具を停止させるようにしてもよい。その際に、制御マイコン３０３は、電気機器に異常があることを報知させる構成としてもよい。
【０１６５】
バッテリ状態検出部３０４で検出したバッテリパック電圧、バッテリセル温度、及び電流検出回路３１５で検出した電流値のいずれかが、電気器具の起動許可条件を満たさない、または器具の停止条件を満たしていたら、ＬＥＤ５を点灯させて、バッテリパック４００が放電不可状態であることを報知してもよい。
【０１６６】
また、電気器具の熱変換部の温度が異常状態であると判定されたら、ＬＥＤ６を点灯させて、電気器具が放電不可状態であることを報知してもよい。さらに、ＬＥＤ５とＬＥＤ６を１つのＬＥＤで構成してもよい。例えば、ＬＥＤ５の電気器具側の異常と、バッテリ放電不可状態の点滅パターンや、点灯色を変更して報知してもよい。このような構成とすることで、バッテリパック４００か電気器具のいずれかが使用不能であることを使用者に報知する構成とすることができる。
【０１６７】
本実施形態では、報知部としてのＬＥＤ５、６が、機器側に設けられる例を開示したが、バッテリに設けられていてもよいし、アダプタに設けられてもよい。
【０１６８】
電気器具３００内の配線が外れてショートするなどの異常が発生して過大な電流が流れてしまうと、バッテリパック４００や電気器具が故障するおそれがあるため、バッテリパック４００及び電気器具を保護するために、バッテリパック４００の内部若しくは電気器具の内部にヒューズ３２０を搭載する構成としてもよい。ヒューズ３２０は図５５に示すように電気器具３００側に搭載すると、ヒューズ３２０が切れてもバッテリパック４００は使用可能となるため、電気器具３００側にヒューズ３２０を搭載することが望ましい。
【０１６９】
図５７には、図５５とは異なる形態のバッテリパック４５０と電気器具３５０の構成が示されている。この構成では、電源回路４６１や制御マイコン４５４がバッテリパック４５０内にも構成されている。さらに、電圧監視回路４６０やバッテリセルの温度検出回路４５６、電流検出回路４５７もバッテリパック４５０内に構成されている。
【０１７０】
電源回路４６１は、制御マイコン４５４など、バッテリ内の各部の動作用電源として用いられる。制御マイコン４５４は、ＣＰＵ、ＲＯＭ、ＲＡＭ、Ｉ／Ｏなどを備えたマイクロコンピュータである。電圧監視回路４６０は、Ｖ１，Ｖ２，Ｖ３のセル毎の電圧を検出し、制御マイコンへ入力する。温度検出回路４５６は、バッテリセルＶ１の近傍に備えられたサーミスタの抵抗値からバッテリセル温度を検出し、制御マイコン４５４へ入力する。電流検出回路４５７は、電気器具が動作している際に流れる通電電流を検出して、制御マイコン４５４へ入力する。残容量スイッチ４５５がオンされると、制御マイコン４５４へ信号が入力され、制御マイコン４５４は、セル電圧に応じたバッテリ残容量を算出し、残容量表示回路（ＬＥＤ等）へ表示させる。
【０１７１】
バッテリパック４５０には、正負の電源端子受け部４５１，４５２と、通信端子受け部４５３，４５９が設けられており、通信端子受け部４５３，４５９は電気器具３５０の通信端子３１７，３１８と接続されるように構成されている。バッテリ内の制御マイコン４５４は、通信端子受け部４５３と通信端子３１７（以下接続部Ｃ）を介して、電気器具３５０の制御マイコン３０３からの信号が受信可能な構成となっており、通信端子受け部４５９と通信端子３１８（以下接続部Ｄ）を介して、電気器具３５０の制御マイコン３０３へ信号が送信可能な構成となっている。
【０１７２】
電気器具３５０には、前記電気器具３００と同様、正負の電源端子３１２，３１３、通信端子３１７，３１８、制御マイコン３０３、電源回路３０２、通電制御スイッチ（ＦＥＴ）３０５、駆動回路３０６、メインスイッチ３１０、強弱スイッチ３１１が設けられている。
【０１７３】
図５８には、制御マイコン３０３でなされる電気器具３５０側の動作制御のフローチャートが示され、図５９には、制御マイコン４５４でなされるバッテリパック４５０側の動作制御のフローチャートが示され、これらの動作制御により主としてバッテリパック４５０の放電保護が図られる。使用者がメインスイッチ３１０をオン操作した信号が制御マイコン３０３へ入力されると（ＳＴ２１）、まず制御マイコン３０３は接続部ＣへＨｉレベルの信号を出力する（ＳＴ２２）。
【０１７４】
制御マイコン４５４は、接続部ＣからＨｉレベルの信号が入力されると動作制御を開始し（ＳＴ４１）、ＳＴ４２にてバッテリ状態を取得する。制御マイコン４５４は電圧監視回路４６０からバッテリセルＶ１，Ｖ２，Ｖ３の電圧を個別に検出し、温度検出回路４５６からバッテリセルの温度を検出する。ＳＴ４３にて、制御マイコン４５４はバッテリセルＶ１，Ｖ２，Ｖ３の各電圧、及び、バッテリセル温度が機器の起動許可条件を満たしているか否かを判断する。なお、図５７の構成ではバッテリセルの電圧を個別に検出することが可能であるため、起動条件はＶ１〜Ｖ３の中で最も低い電圧のセルが２．７Ｖ以上あるか否かで判定する。バッテリセル温度の起動許可条件については、図５５の構成と同様に６０℃以上であるか否かで判定する。
【０１７５】
制御マイコン４５４はバッテリパック４５０が起動許可条件を満たしている場合、つまり機器を起動してよいと判定したら、接続部Ｄの電位がＬｏｗレベルとなるように出力する（ＳＴ４５）。なお、起動許可条件を満たしていない場合は、動作を終了する（ＳＴ４４）。
【０１７６】
制御マイコン３０３は、ＳＴ２２が終了したらＳＴ２３に移行して、例えば１０ｍｓｅｃ待機する。この時間は、制御マイコン４５４がＳＴ４１からＳＴ４５までの処理が終了するまでの時間である。そしてＳＴ２４へ移行して接続部ＤからＬｏｗレベルの信号が入力されているか否かを判定する。ここで、接続部ＤからＬｏｗレベルの信号が入力されていない場合、バッテリパック４５０は起動条件を満たしていないと判断し、ＳＴ２５で接続部Ｃへの信号出力を停止し、ＳＴ２６で動作を終了する。接続部ＤからＬｏｗレベルの信号が入力されている場合、バッテリパック４５０は起動条件を満たしていると判断し、それぞれに対応したデューティー比で電気器具を駆動させる（ＳＴ２８、ＳＴ２９）。
【０１７７】
制御マイコン４５４は、ＳＴ４６へ移行し、バッテリ状態を取得する。ここでは、電圧監視回路４６０と温度検出回路４５６から、バッテリセルの電圧と温度を取得するとともに、電流検出回路４５７から電気器具に流れる通電電流を取得する。
【０１７８】
ＳＴ４７にて機器の停止条件を満たしているかを判定する。停止条件は、例えばバッテリセルＶ１，Ｖ２，Ｖ３のいずれかの電圧が２．５Ｖ以下であることが１秒以上検知され、温度が８０℃以上であることが１秒以上検知され、通電電流が８０Ａ以上であることが１秒以上検知されることに設定されている。これらの各条件の一つが検知されると、ＳＴ４８で接続部Ｄへの出力を停止して、動作を終了する（ＳＴ４９）。これらの条件が検知されない場合は、ＳＴ５０へ移行する。
【０１７９】
ＳＴ５０では接続部Ｃからの信号が入力されているか否かを判定し、信号が入力されている場合は、電気器具のメインスイッチ３１０がＯＮされたままであると判定し、ＳＴ４６へ戻る。接続部Ｃからの信号が入力されていない場合は、電気器具のメインスイッチ３１０がオフされたと判断し、動作を終了するためにＳＴ４８へ移行する。
【０１８０】
制御マイコン３０３は、ＳＴ２８、２９へ機器の駆動を開始したら、ＳＴ３０で接続部ＤからのＬｏｗレベル信号が入力されているか否かを判定する。信号が入力されている場合、バッテリは機器の停止条件を満たしていないと判断し、ＳＴ３２へ移行する。メインスイッチ３１０がオフされたか否かを判定し、メインスイッチ３１０がオフされていない場合、ＳＴ２７へ戻り、同様の動作を繰り返すこととなる。
【０１８１】
ＳＴ３０にて接続部Ｄからの信号が入力されていない場合、またはＳＴ３１でメインスイッチ３１０がオフされた場合、ＳＴ３２へ移行して、接続部ＣへのＨｉレベル信号の出力を停止し、ＳＴ３３で動作を終了させる。
【０１８２】
このように、図５７のような構成において、接続部Ｃでメインスイッチ３１０のオン状態、接続部Ｄでバッテリが放電してもよいかどうか（放電許可情報）を通信することで、図５５と同様にバッテリの放電保護を行うことができる。バッテリセルＶ１，Ｖ２，Ｖ３の電圧及び温度管理、電流管理がバッテリパック４５０側でなされることから、係る機能を有しない電動器具に用いる場合においても当該バッテリパック４５０の保護を図ることができる。バッテリセルＶ１，Ｖ２，Ｖ３の電圧が個別に監視されることから、高精度の電圧監視制御がなされるとともに、電圧が最も低いバッテリセルＶ１，Ｖ２，Ｖ３のいずれかに合わせて制御がなされることにより、当該バッテリパック４５０の長寿命化を図ることができる。バッテリ側に搭載されている制御マイコン４５４でバッテリ放電保護を行うため、セルに合わせた設定値とすることができる。例えば性能のよいバッテリセルや安価なセルを用いた場合でも、セル性能に合わせた設定値にすることができるため、長寿命化を図ることができる。
【０１８３】
なお、この実施形態では、接続部Ｃ、ＤをＨｉレベルやＬｏｗレベルとすることで、制御マイコン３０３と４５４が通信を行っているが、これに限らず別の通信方式を行っても良い。例えば制御マイコン３０３と４５４がデジタル通信を行うことで、バッテリセル電圧、温度、通電電流値等をデジタルデータで送受信する構成としてもよい。
【０１８４】
また、接続部Ｃでメインスイッチの状態を送受信する構成としているが、接続部Ｃは省略した構成としてもよい。この場合、制御マイコン４５４は、バッテリパック４５０が起動可能な状態であれば、常に接続部ＤからＬｏｗレベルの信号を出力する構成とすればよい。接続部Ｄは放電許可状態の場合に信号を送信する構成としているが、放電禁止状態の場合に信号を送信してもよい。
【０１８５】
制御マイコン３０３は、バッテリパック４５０が起動許可条件を満たしていない、または機器停止条件を満たしていると判定したら、ＬＥＤ５を点灯させて使用者にバッテリが放電不可状態であることを報知してもよい。また、図示はしないが、図５５の構成と同様に熱変換部の異常温度を検出し、電気器具が放電不可状態であることを検出したら、ＬＥＤ５を点滅させるかＬＥＤ６を点灯させるなどしてもよい。
【０１８６】
制御マイコン４５４は、残容量スイッチ４５５を押されたときに、バッテリパック４５０が起動許可条件を満たしていない、または機器停止条件を満たしていると判定したら、残容量表示回路４５８を通常の残容量表示パターンと異なる表示をしてもよい。例えばＬＥＤを点滅表示させることで、バッテリパック４５０が使用不能であることを報知することができる。
【０１８７】
通電制御スイッチ３０５と駆動回路３０６は、電気器具３５０側に搭載する構成のほか、バッテリパック４５０側に搭載する構成としてもよい。その場合、制御マイコン４５４が、駆動回路３０６を制御する構成とすればよい。
【０１８８】
図６０には、前記バッテリパック４００を充電器５００にセットして充電する場合の制御状態が示されている。図６０においてバッテリパック４００の残容量スイッチ４０９は省略されている。充電器５００では、商用１００Ｖ等のＡＣ電源５０１が入力整流回路５０２により直流に変換され、この直流電流がＳＷ電源回路５０３により所定の電流値や電圧値に変換される。充電器５００には、正負電源用の接続端子５０４，５０５、通信端子５０６，５０７，５０８が設けられている。バッテリパック４００が取り付けられた状態で、電源用の接続端子５０４，５０５がバッテリパック４００の電源端子受け部４０１，４０２に接続される。また、通信端子５０６，５０７，５０８がそれぞれバッテリパック４００の通信端子受け部４０３，４０４，４０５に接続される。正側の接続端子５０４にＶ３電圧検出回路５１０が接続され、通信端子５０７にＶ２電圧検出回路５１１が接続され、通信端子５０６にＶ１電圧検出回路５１２が接続されている。また、通信端子５０８に温度検出回路５１３が接続されている。
【０１８９】
Ｖ１〜Ｖ３電圧検出回路５１２，５１１，５１０により検出される各セルの電圧情報、温度検出回路５１３で検出されるセルの温度情報が制御回路５１５に入力される。制御回路５１５では、検出したバッテリ状態に応じて、充電用ＳＷ電源回路５０３を制御することにより充電電流や充電電圧が適切に制御される。
【０１９０】
電気器具や電動工具に用いられるバッテリは、大きな電力を取り出せるように工夫されているため、充電時の電流値も大きくすることができる特徴がある。そのため、１時間や３０分程度の短時間で急速充電することが可能となる。このことから、電気器具や電動工具を動作させている間に予備バッテリを充電しておくことで、当該電気器具や電動工具を充電のための中断を生ずることなく長時間連続して動作させることができる。
【図１】
2018074355.tif 000003
【図２】
2018074355.tif 000004
【図３】
2018074355.tif 000005
【図４】
2018074355.tif 000006
【図５】
2018074355.tif 000007
【図６】
2018074355.tif 000008
【図７】
2018074355.tif 000009
【図８】
2018074355.tif 000010
【図９】
2018074355.tif 000011
【図１０】
2018074355.tif 000012
【図１１】
2018074355.tif 000013
【図１２】
2018074355.tif 000014
【図１３】
2018074355.tif 000015
【図１４】
2018074355.tif 000016
【図１５】
2018074355.tif 000017
【図１６】
2018074355.tif 000018
【図１７】
2018074355.tif 000019
【図１８】
2018074355.tif 000020
【図１９】
2018074355.tif 000021
【図２０】
2018074355.tif 000022
【図２１】
2018074355.tif 000023
【図２２】
2018074355.tif 000024
【図２３】
2018074355.tif 000025
【図２４】
2018074355.tif 000026
【図２５】
2018074355.tif 000027
【図２６】
2018074355.tif 000028
【図２７】
2018074355.tif 000029
【図２８】
2018074355.tif 000030
【図２９】
2018074355.tif 000031
【図３０】
2018074355.tif 000032
【図３１】
2018074355.tif 000033
【図３２】
2018074355.tif 000034
【図３３】
2018074355.tif 000035
【図３４】
2018074355.tif 000036
【図３５】
2018074355.tif 000037
【図３６】
2018074355.tif 000038
【図３７】
2018074355.tif 000039
【図３８】
2018074355.tif 000040
【図３９】
2018074355.tif 000041
【図４０】
2018074355.tif 000042
【図４１】
2018074355.tif 000043
【図４２】
2018074355.tif 000044
【図４３】
2018074355.tif 000045
【図４４】
2018074355.tif 000046
【図４５】
2018074355.tif 000047
【図４６】
2018074355.tif 000048
【図４７】
2018074355.tif 000049
【図４８】
2018074355.tif 000050
【図４９】
2018074355.tif 000051
【図５０】
2018074355.tif 000052
【図５１】
2018074355.tif 000053
【図５２】
2018074355.tif 000054
【図５３】
2018074355.tif 000055
【図５４】
2018074355.tif 000056
【図５５】
2018074355.tif 000057
【図５６】
2018074355.tif 000058
【図５７】
2018074355.tif 000059
【図５８】
2018074355.tif 000060
【図５９】
2018074355.tif 000061
【図６０】
2018074355.tif 000062
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
保温対象物としての容器入り飲料を収容する収容凹部を有する収容部本体と、保温対象物の保温又は保冷を行う熱源とを備え、熱源に電力を供給する電源としてのバッテリパックを着脱可能である電気ドリンクホルダ。
【請求項２】
請求項１に記載した電気ドリンクホルダであって、前記バッテリパックを取り付けるための電源アダプタを電源コードを介して接続可能である電気ドリンクホルダ。
【請求項３】
請求項１又は２に記載した電気ドリンクホルダであって、前記収容部本体の上面かつ前記収容凹部の後方に、保温と保冷を切り替えるための切り替えスイッチを配置した電気ドリンクホルダ。
【請求項４】
請求項１〜３の何れか１項に記載した電気ドリンクホルダであって、電圧又は電流の少なくとも１つを検出する回路を有し、規定以上の電流、又は規定以下の電圧を検知したときに電力供給を停止する構成とした電気ドリンクホルダ。
【請求項５】
請求項１〜４の何れか１項に記載した電気ドリンクホルダであって、前記バッテリパックの電力供給を制御する制御回路を備え、制御回路は、高温状態又は過放電状態を検知して電力供給を遮断する保護回路を含む電気ドリンクホルダ。
【請求項６】
布地に熱源としての電熱線を張り巡らせた暖房器具であり、電熱線に電力を供給するためのバッテリパックを着脱可能である暖房器具。
【請求項７】
請求項６に記載した暖房器具であって、前記バッテリパックを取り付けるための電源アダプタを電源コードを介して接続可能である暖房器具。
【請求項８】
請求項６又は７に記載した暖房器具であって、異なる電圧のバッテリパックを利用可能な暖房器具。
【請求項９】
請求項７に記載した暖房器具であって、前記電源アダプタにベルト掛け用のフックを備えた暖房器具。
【請求項１０】
請求項６〜９の何れか１項に記載した暖房器具であって、使用者の身体に巻き付けて利用可能であり、巻き付け状態を保持するためのボタンを備えた暖房器具。
【請求項１１】
対象物を加熱する電気機器であって、
器具本体と、
加熱を行う熱源と、
前記熱源に電力を供給する電源であって、電動工具に十分な電力を供給するためバッテリパックを取り付けるためのバッテリ取り付け部と、
前記器具本体を載置するための受け台であって、前記バッテリ取り付け部を有する受け台と、を有し、
前記バッテリ取り付け部は、前記バッテリパックが着脱可能なように構成されており、
前記バッテリパックから電力を供給する電源によって、前記受け台に載置された前記器具本体内で湯を沸かすことができるように構成された、電気器具。
【請求項１２】
前記電気器具が電気ポッドである請求項１１に記載の電気器具。
【請求項１３】
請求項１１又は１２に記載の電気器具であって、前記熱源として機能するペルチェ素子を備えた電気器具。
【請求項１４】
請求項１３に記載の電気器具であって、前記受け台は、さらに電源コードを有しており、前記バッテリ取り付け部は該電源コードを介して前記受け台に接続されている電気器具。
【請求項１５】
保温対象物を収容する保温部と、保温部を少なくとも加熱、または冷却のどちらか一方を行う熱源とを備え、熱源に電力を供給する電源としてのバッテリパックを着脱可能である温冷庫。
【請求項１６】
請求項１５に記載した温冷庫であり、バッテリパックとして、充電式電動工具に用いられるバッテリパックを利用可能である温冷庫。
【請求項１７】
請求項１５又は１６に記載した温冷庫であり、バッテリパックの電力供給を制御する制御回路を備え、制御回路は、高温状態又は過放電状態を検知して電力供給を遮断する保護回路を含む温冷庫。
【請求項１８】
加熱対象物としての内釜と、内釜を内装した本体部と、本体部を支持する基台部と、内釜を加熱する熱源とを備え、熱源に電力を供給する電源としてのバッテリパックを着脱可能である電気炊飯器。
【請求項１９】
請求項１８に記載した電気炊飯器であり、バッテリパックとして、充電式電動工具に用いられるバッテリパックを利用可能である電気炊飯器。
【請求項２０】
請求項１８又は１９に記載した電気炊飯器であり、バッテリパックの電力供給を制御する制御回路を備え、制御回路は、高温状態又は過放電状態を検知して電力供給を遮断する保護回路を含む電気炊飯器。
【請求項２１】
加熱対象物としての食材を受けるプレート本体と、プレート本体を支持する基台部と、プレート本体を加熱する熱源とを備え、熱源に電力を供給する電源としてのバッテリパックを着脱可能であるホットプレート。
【請求項２２】
請求項２１に記載したホットプレートであり、バッテリパックとして、充電式電動工具に用いられるバッテリパックを利用可能であるホットプレート。
【請求項２３】
請求項２１又は２２に記載したホットプレートであり、バッテリパックの電力供給を制御する制御回路を備え、制御回路は、高温状態又は過放電状態を検知して電力供給を遮断する保護回路を含むホットプレート。
【請求項２４】
手に装着可能な手袋本体と、手袋本体を加熱する熱源としての電熱線とを備え、電熱線に電力を供給する電源としてのバッテリパックを取り付けるための電源アダプタを電源コードを介して接続可能である電気手袋。
【請求項２５】
請求項２４に記載した電気手袋であり、バッテリパックとして、充電式電動工具に用いられるバッテリパックを利用可能である電気手袋。
【請求項２６】
請求項２４又は２５に記載した電気手袋であり、バッテリパックの電力供給を制御する制御回路を備え、制御回路は、高温状態又は過放電状態を検知して電力供給を遮断する保護回路を含む電気手袋。
【請求項２７】
保温対象物としての飲料水を収容する本体部と、本体部を保温又は保冷する熱源とを備え、熱源に電力を供給する電源としてのバッテリパックを着脱可能である電気ポット。
【請求項２８】
請求項２７に記載した電気ポットであり、バッテリパックとして、充電式電動工具に用いられるバッテリパックを利用可能である電気ポット。
【請求項２９】
請求項２７又は２８に記載した電気ポットであり、バッテリパックの電力供給を制御する制御回路を備え、制御回路は、高温状態又は過放電状態を検知して電力供給を遮断する保護回路を含む電気ポット。
【請求項３０】
熱源としての電熱線を張り巡らせた電気座布団であり、熱源に電力を供給する電源としてのバッテリパックを着脱可能である電気座布団。
【請求項３１】
請求項３０に記載した電気座布団であり、バッテリパックとして、充電式電動工具に用いられるバッテリパックを利用可能である電気座布団。
【請求項３２】
請求項３０又は３１に記載した電気座布団であり、バッテリパックの電力供給を制御する制御回路を備え、制御回路は、高温状態又は過放電状態を検知して電力供給を遮断する保護回路を含む電気座布団。
【請求項３３】
電力を供給する電源としてのバッテリパックを着脱可能に取り付けるためのバッテリ取り付け部を備えた、以下の何れか一つの家庭用電気器具。
（１）保温対象物を保温又は保冷する温冷庫
（２）衣服のしわ伸ばしをするためのアイロン
（３）米を炊くための電気炊飯器
（４）食品を焼くためのホットプレート
（５）飲料物を注いだカップを温めるためのカップウォーマ
（６）暖房寝具としての電気毛布
（７）着座時に敷く電気座布団
（８）足を温める電気スリッパ
（９）手を温める電気手袋
（１０）食品を収容した箱ごと収容して温める持ち運び用のポーチ
（１１）ペットボトルや飲料缶を袋に収容して保温する持ち運び用のボトルウォーマ
（１２）飲料水を収容して保温又は保冷する携帯式の電気ポット
（１３）ペットボトルや缶飲料を保温または保冷するドリンクホルダ
（１４）食品を調理した鍋を載せて保温する電気鍋敷き
（１５）食品を調理するために加熱するクッキングヒータ
（１６）ペットボトルや缶飲料を箱体に収容した保温する加熱ボックス
（１７）食パンを焼くための電気トースター
（１８）湯を沸かし、保温する電気ケトル
（１９）食パンを挟んで調理するホットサンドメーカー
（２０）排水タンク付きの除湿器
（２１）カップに注いだ飲料物を保温又は保冷する電気マグカップ
（２２）ファスナで折り畳み状態が保持される暖房用敷物
（２３）折り曲げて組み立て可能で収容物を保温する保温箱
（２４）膝に掛けて、あるいは体に巻いて温める電気ブランケット
（２５）首に巻き付けて温める電気マフラー
（２６）内側に頭部を通して首に巻き付けて温め、頭部に巻き付けて両目を温める暖房器具
【請求項３４】
請求項３３の家庭用電気器具であって、バッテリパックとして、充電式電動工具に用いられるバッテリパックを利用可能である家庭用電気器具。
【請求項３５】
請求項３３又は３４に記載した家庭用電気器具であり、バッテリパックの電力供給を制御する制御回路を備え、制御回路は、高温状態又は過放電状態を検知して電力供給を遮断する保護回路を含む家庭用電気器具。
【請求項３６】
保温対象物を加熱若しくは冷却する電気器具であって、保温対象物に直接、間接に接触させる保温部と、保温部を加熱し若しくは冷却する熱源とを備え、熱源に電力を供給する電源としてのバッテリパックを取り付けるための電源アダプタを電源コードを介して接続可能である、以下の何れか一つの電気器具。
（１）保温対象物を保温又は保冷する温冷庫
（２）衣服のしわ伸ばしをするためのアイロン
（３）米を炊くための電気炊飯器
（４）食品を焼くためのホットプレート
（５）飲料物を注いだカップを温めるためのカップウォーマ
（６）暖房寝具としての電気毛布
（７）着座時に敷く電気座布団
（８）足を温める電気スリッパ
（９）手を温める電気手袋
（１０）食品を収容した箱ごと収容して温める持ち運び用のポーチ
（１１）ペットボトルや飲料缶を袋に収容して保温する持ち運び用のボトルウォーマ
（１２）飲料水を収容して保温又は保冷する携帯式の電気ポット
（１３）ペットボトルや缶飲料を保温または保冷するドリンクホルダ
（１４）食品を調理した鍋を載せて保温する電気鍋敷き
（１５）食品を調理するために加熱するクッキングヒータ
（１６）ペットボトルや缶飲料を箱体に収容した保温する加熱ボックス
（１７）食パンを焼くための電気トースター
（１８）湯を沸かし、保温する電気ケトル
（１９）食パンを挟んで調理するホットサンドメーカー
（２０）排水タンク付きの除湿器
（２１）カップに注いだ飲料物を保温又は保冷する電気マグカップ
（２２）ファスナで折り畳み状態が保持される暖房用敷物
（２３）折り曲げて組み立て可能で収容物を保温する保温箱
（２４）膝に掛けて、あるいは体に巻いて温める電気ブランケット
（２５）首に巻き付けて温める電気マフラー
（２６）内側に頭部を通して首に巻き付けて温め、頭部に巻き付けて両目を温める暖房器具
【請求項３７】
請求項３６の電気器具であって、バッテリパックとして、充電式電動工具に用いられるバッテリパックを利用可能である電気器具。
【請求項３８】
請求項３６又は３７に記載した電気器具であり、バッテリパックの電力供給を制御する制御回路を備え、制御回路は、高温状態又は過放電状態を検知して電力供給を遮断する保護回路を含む電気器具。
【国際調査報告】
2018074355.tif 000063
2018074355.tif 000064
2018074355.tif 000065
2018074355.tif 000066
2018074355.tif 000067
2018074355.tif 000068
2018074355.tif 000069
2018074355.tif 000070